(57)【要約】  本発明の実施形態は、マルチリンク構成方法、基地局、およびユーザ機器を提供する。UEは、アップリンク情報を生成し、このアップリンク情報を基地局に送信する。基地局は、アップリンク情報に基づいてUEのために第1のセットおよび／または第2のセットを構成する。第1のセットまたは第2のセットが構成されるときに、第1のセットまたは第2のセットに含まれる送信点とUEとの間に複数のリンクが確立される。第1のセットおよび第2のセットが構成されるとき、第1のセットは、少なくとも2つの送信点を含み、第2のセットは、第1のセットのサブセットである。このプロセスにおいて、第1のセットに含まれる送信点は、候補送信点であり、第2のセットに含まれる送信点は、ユーザとの複数のリンクを確立し、実際にデータをUEに送信する送信点である。リンクの中断およびサービスの中断の回数を低減するために、第2のセットに含まれる送信点の信号が弱くなったまたは中断されたとき、良質の送信点が、第1のセットから選択され、第2のセットに追加され、それにより、UDNネットワークにおけるUEの頻繁なハンドオーバの問題を解決する。
2019524022.tif 000002
【特許請求の範囲】
【請求項１】
マルチリンク構成方法であって、
基地局により、ユーザ機器（UE）によって送信されたアップリンク情報を受信するステップと、
前記基地局により、前記アップリンク情報に基づいて前記UEのために第1のセットおよび／または第2のセットを構成するステップと、
前記第1のセットまたは前記第2のセットが構成されるときに、前記第1のセットまたは前記第2のセットに含まれる送信点と前記UEとの間に複数のリンクを確立するステップと
を含み、
前記第1のセットおよび前記第2のセットが構成されるとき、前記第1のセットが、少なくとも2つの送信点を含み、前記第2のセットが、前記第1のセットのサブセットである、方法。
【請求項２】
前記第1のセットの送信点が、測定された信号強度が第1の閾値以上である送信点であり、前記第2のセットの送信点が、測定された信号強度が第2の閾値以上である送信点であり、前記第2の閾値が、前記第1の閾値よりも大きい、請求項1に記載の方法。
【請求項３】
前記第2のセットに含まれる各送信点を、前記第1のセットからアクティブ化または非アクティブ化することができる、請求項1または2に記載の方法。
【請求項４】
前記第2のセットに含まれる前記送信点が前記第2の閾値を満たさなくなったときに、前記第2の閾値を満たす、前記第2のセット外かつ前記第1のセット内の送信点が、前記第2のセットに追加される、請求項1から3のいずれか一項に記載の方法。
【請求項５】
前記アップリンク情報が、少なくとも1つのダウンリンク測定結果のうちの、前記第1の閾値または前記第2の閾値よりも大きいダウンリンク測定結果であり、前記少なくとも1つのダウンリンク測定結果が、少なくとも1つの送信点のダウンリンク信号を測定することによって前記UEにより取得される、請求項1から4のいずれか一項に記載の方法。
【請求項６】
前記少なくとも1つのダウンリンク測定結果が、前記少なくとも1つの送信点の前記ダウンリンク信号のRRM測定を行うことによって前記UEにより取得される、請求項5に記載の方法。
【請求項７】
前記アップリンク情報が、少なくとも1つの送信点識別子であり、前記少なくとも1つの送信点識別子が、少なくとも1つの送信点のダウンリンク信号を測定することによって前記UEにより取得される少なくとも1つのダウンリンク測定結果のうちの、前記第1の閾値または前記第2の閾値よりも大きいダウンリンク測定結果に対応する送信点識別子である、請求項1から4のいずれか一項に記載の方法。
【請求項８】
前記アップリンク情報が、第2の予め設定された閾値よりも大きい送信点識別子を昇順または降順にソートすることによって前記UEにより取得される、請求項7に記載の方法。
【請求項９】
前記アップリンク情報が、特に、前記UEによって送信されるアップリンク信号であり、前記アップリンク信号が、以下の信号のうちの少なくとも1つ、すなわち、アップリンクサウンディング信号、アップリンクサウンディング基準信号、アップリンクシーケンスコード、またはプリアンブルのうちの少なくとも1つである、請求項1から4のいずれか一項に記載の方法。
【請求項１０】
基地局により、ユーザ機器（UE）によって送信されたアップリンク情報を受信する前記ステップの前に、前記方法が、
前記基地局により、無線リソース制御（RRC）シグナリングを使用して前記アップリンク信号のアップリンク送信サブフレームまたはアップリンク送信サブフレームセットを通知するステップ
をさらに含む、請求項9に記載の方法。
【請求項１１】
前記基地局により、無線リソース制御（RRC）シグナリングを使用して前記アップリンク信号のアップリンク送信サブフレームまたはアップリンク送信サブフレームセットを通知する前記ステップの前に、前記方法が、
前記基地局により、基地局間インタフェースを使用して前記アップリンク送信サブフレームまたは前記アップリンク送信サブフレームセットを調整するかまたは予め構成するステップ
をさらに含む、請求項10に記載の方法。
【請求項１２】
前記第1のセットに含まれる前記送信点が、第1のセルを構成し、前記第1のセルが、第1のクラスタ、第1の仮想セル、または第1のスーパーセルである、請求項1から11のいずれか一項に記載の方法。
【請求項１３】
前記第1のセルに含まれるプライマリ送信点が固定または可変である、請求項12に記載の方法。
【請求項１４】
前記第1のセルが、対応するセル識別子を有し、前記第1のセルが前記第1のクラスタ、前記第1の仮想セル、または前記第1のスーパーセルである場合、前記第1のセルに対応する前記セル識別子が、クラスタ識別子、仮想セル識別子、またはスーパーセル識別子である、請求項12に記載の方法。
【請求項１５】
前記第2のセットに含まれる前記送信点が、第2のセルを構成し、前記第2のセルが、第2のクラスタ、第2の仮想セル、または第2のスーパーセルである、請求項1から14のいずれか一項に記載の方法。
【請求項１６】
前記第2のセルに含まれるプライマリ送信点が、前記UEの移動と共に変更される、請求項15に記載の方法。
【請求項１７】
前記第2のセルが、対応するセル識別子を有し、前記第2のセルが前記第2のクラスタ、前記第2の仮想セル、または前記第2のスーパーセルである場合、前記第2のセルに対応する前記セル識別子が、クラスタ識別子、仮想セル識別子、またはスーパーセル識別子である、請求項15に記載の方法。
【請求項１８】
前記第2のセットが、マルチRRCリンクモードにあり、前記第2のセット内の少なくとも2つの送信点が、前記UEとのRRCリンクを確立するか、または
前記第2のセットが、シングルRRCリンクモードにあり、前記第2のセット内の1つの送信点が、前記UEとのRRCリンクを確立するか、または
前記第2のセットが、準静的モードにあり、前記第2のセット内の前記送信点が、準静的な方法で前記第1のセット内で変更される、請求項1から17のいずれか一項に記載の方法。
【請求項１９】
基地局により、ユーザ機器（UE）によって送信されたアップリンク情報を受信する前記ステップの前に、前記方法が、
前記基地局により、構成シグナリングを使用して前記第1の閾値または前記第2の閾値を前記UEに送信するステップ
をさらに含む、請求項1から18のいずれか一項に記載の方法。
【請求項２０】
基地局により、ユーザ機器（UE）によって送信されたアップリンク情報を受信する前記ステップが、
前記基地局により、前記UEによって送信された、前記第1の閾値または前記第2の閾値を満たす送信点のアップリンク情報を受信するステップ
を含む、請求項19に記載の方法。
【請求項２１】
前記基地局により、前記アップリンク情報に基づいて前記UEのために第1のセットおよび／または第2のセットを構成する前記ステップの後に、前記方法が、
前記基地局により、無線リソース制御（RRC）シグナリングを使用して前記第1のセットおよび／もしくは前記第2のセットに関する情報を前記UEに送信するステップ、ならびに／または
前記基地局により、媒体アクセス制御（MAC）シグナリングを使用して前記第2のセットのアクティブ化もしくは非アクティブ化情報を前記UEに送信するステップ
をさらに含む、請求項1から20のいずれか一項に記載の方法。
【請求項２２】
前記UEにマルチリンク協調を行うように命令するために、前記基地局により、無線リソース制御（RRC）シグナリングを使用してマルチリンク構成情報を前記UEに送信するステップ
をさらに含む、請求項1から21のいずれか一項に記載の方法。
【請求項２３】
前記マルチリンク協調が、以下の協調のうちの少なくとも1つ、すなわち、電力協調、ランダムアクセス協調、および電力ヘッドルーム協調のうちの少なくとも1つを含む、請求項22に記載の方法。
【請求項２４】
前記複数のリンクのうちの非アクティブリンクがアクティブ化されたときに、前記基地局により、前にアクティブ化されたリンクの媒体アクセス制御（MAC）シグナリングを使用して、現在アクティブ化されたリンクにアップリンク送信を行わせるステップであって、前記アップリンク送信が、以下の送信のうちの少なくとも1つ、すなわち、ランダムアクセス送信、スケジューリング要求送信、サウンディング基準信号送信、およびバッファ状態報告送信のうちの少なくとも1つを含む、ステップ
をさらに含む、請求項1から23のいずれか一項に記載の方法。
【請求項２５】
前記基地局が、特に、マクロ基地局またはマスタノードであり、前記送信点が、スモールセルである、請求項1から24のいずれか一項に記載の方法。
【請求項２６】
マルチリンク構成方法であって、
ユーザ機器（UE）により、アップリンク情報を生成するステップと、
前記UEにより、前記アップリンク情報を基地局に送信するステップであって、これにより、前記基地局が、前記アップリンク情報に基づいて前記UEのために第1のセットおよび／または第2のセットを構成する、ステップと、
前記第1のセットまたは前記第2のセットが構成されるときに、前記第1のセットまたは前記第2のセットに含まれる送信点と前記UEとの間に複数のリンクを確立するステップと
を含み、
前記第1のセットおよび前記第2のセットが構成されるとき、前記第1のセットが、少なくとも2つの送信点を含み、前記第2のセットが、前記第1のセットのサブセットである、方法。
【請求項２７】
前記第1のセットの送信点が、測定された信号強度が第1の閾値以上である送信点であり、前記第2のセットの送信点が、測定された信号強度が第2の閾値以上である送信点であり、前記第2の閾値が、前記第1の閾値よりも大きい、請求項26に記載の方法。
【請求項２８】
前記第2のセットに含まれる各送信点を、前記第1のセットからアクティブ化または非アクティブ化することができる、請求項26または27に記載の方法。
【請求項２９】
前記第2のセットに含まれる前記送信点が前記第2の閾値を満たさなくなったときに、前記第2の閾値を満たす、前記第2のセット外かつ前記第1のセット内の送信点が、前記第2のセットに追加される、請求項26から28のいずれか一項に記載の方法。
【請求項３０】
前記アップリンク情報が、前記第1の閾値または前記第2の閾値よりも大きいダウンリンク測定結果を含み、
ユーザ機器（UE）により、アップリンク情報を生成する前記ステップが、
前記UEにより、少なくとも1つの送信点のダウンリンク信号を測定して、少なくとも1つのダウンリンク測定結果を取得するステップと、
前記UEにより、前記少なくとも1つのダウンリンク測定結果から、前記第1の閾値または前記第2の閾値よりも大きいダウンリンク測定結果を決定するステップと
を含む、請求項26から29のいずれか一項に記載の方法。
【請求項３１】
前記UEにより、少なくとも1つの送信点のダウンリンク信号を測定して、少なくとも1つのダウンリンク測定結果を取得する前記ステップが、
前記UEにより、前記少なくとも1つの送信点の前記ダウンリンク信号のRRM測定を行って、前記少なくとも1つのダウンリンク測定結果を取得するステップ
を含む、請求項30に記載の方法。
【請求項３２】
前記アップリンク情報が、前記第1の閾値または前記第2の閾値よりも大きいダウンリンク測定結果に対応する送信点識別子を含み、
ユーザ機器（UE）により、アップリンク情報を生成する前記ステップが、
前記UEにより、少なくとも1つの送信点のダウンリンク信号を測定して、少なくとも1つのダウンリンク測定結果を取得するステップと、
前記UEにより、前記少なくとも1つのダウンリンク測定結果から、前記第1の閾値または前記第2の閾値よりも大きいダウンリンク測定結果に対応する前記送信点識別子を決定するステップと
を含む、請求項26から29のいずれか一項に記載の方法。
【請求項３３】
前記アップリンク情報が、前記第1の閾値または前記第2の閾値よりも大きいダウンリンク測定結果に対応する前記送信点識別子を昇順または降順にソートすることによって前記UEにより取得される、請求項32に記載の方法。
【請求項３４】
前記アップリンク情報が、特に、前記UEによって送信されるアップリンク信号であり、前記アップリンク信号が、以下の信号のうちの少なくとも1つ、すなわち、アップリンクサウンディング信号、アップリンクサウンディング基準信号、アップリンクシーケンスコード、またはプリアンブルのうちの少なくとも1つである、請求項26から29のいずれか一項に記載の方法。
【請求項３５】
前記UEにより、前記アップリンク情報を基地局に送信する前記ステップの前に、前記方法が、
前記UEにより、無線リソース制御（RRC）シグナリングを使用して前記基地局によって通知された、前記アップリンク信号のアップリンク送信サブフレームまたはアップリンク送信サブフレームセットを受信するステップ
をさらに含む、請求項34に記載の方法。
【請求項３６】
前記アップリンク送信サブフレームまたは前記アップリンク送信サブフレームセットが、基地局間インタフェースを使用して前記基地局によって調整されるかまたは予め構成される、請求項35に記載の方法。
【請求項３７】
前記第1のセットに含まれる前記送信点のカバレッジエリアが、第1のセルを構成し、前記第1のセルが、第1のクラスタ、第1の仮想セル、または第1のスーパーセルである、請求項26から36のいずれか一項に記載の方法。
【請求項３８】
前記第1のセルに含まれるプライマリ送信点が固定または可変である、請求項37に記載の方法。
【請求項３９】
前記第1のセルが、対応するセル識別子を有し、前記第1のセルが前記第1のクラスタ、前記第1の仮想セル、または前記第1のスーパーセルである場合、前記第1のセルに対応する前記セル識別子が、クラスタ識別子、仮想セル識別子、またはスーパーセル識別子である、請求項37に記載の方法。
【請求項４０】
前記第2のセットに含まれる前記送信点のカバレッジエリアが、第2のセルを構成し、前記第2のセルが、第2のクラスタ、第2の仮想セル、または第2のスーパーセルである、請求項26から39のいずれか一項に記載の方法。
【請求項４１】
前記第2のセルに含まれるプライマリ送信点が、前記UEの移動と共に変更される、請求項40に記載の方法。
【請求項４２】
前記第2のセルが、対応するセル識別子を有し、前記第2のセルが前記第2のクラスタ、前記第2の仮想セル、または前記第2のスーパーセルである場合、前記第2のセルに対応する前記セル識別子が、クラスタ識別子、仮想セル識別子、またはスーパーセル識別子である、請求項41に記載の方法。
【請求項４３】
前記第2のセットが、マルチRRCリンクモードにあり、前記第2のセット内の少なくとも2つの送信点が、前記UEとのRRCリンクを確立するか、または
前記第2のセットが、シングルRRCリンクモードにあり、前記第2のセット内の1つの送信点が、前記UEとのRRCリンクを確立するか、または
前記第2のセットが、準静的モードにあり、前記第2のセット内の前記送信点が、準静的な方法で前記第1のセット内で変更される、請求項26から42のいずれか一項に記載の方法。
【請求項４４】
前記UEにより、前記アップリンク情報を基地局に送信する前記ステップの前に、前記方法が、
前記UEにより、構成シグナリングを使用して前記基地局によって送信された前記第1の閾値または前記第2の閾値を受信するステップ
をさらに含む、請求項26から43のいずれか一項に記載の方法。
【請求項４５】
前記UEにより、前記アップリンク情報を基地局に送信する前記ステップが、
前記UEにより、前記第1の閾値または前記第2の閾値を満たす送信点のアップリンク情報を前記基地局に送信するステップ
を含む、請求項44に記載の方法。
【請求項４６】
前記UEにより、前記アップリンク情報を基地局に送信する前記ステップの後に、前記方法が、
前記UEにより、無線リソース制御（RRC）シグナリングを使用して前記基地局によって送信された、前記第1のセットおよび／もしくは前記第2のセットに関する情報を受信するステップ、ならびに／または
前記UEにより、媒体アクセス制御（MAC）シグナリングを使用して前記基地局によって前記UEに送信された、前記第2のセットのアクティブ化または非アクティブ化情報を受信するステップ
をさらに含む、請求項26から45のいずれか一項に記載の方法。
【請求項４７】
マルチリンク協調を行うために、前記UEにより、無線リソース制御（RRC）シグナリングを使用して前記基地局によって送信されたマルチリンク構成情報を受信するステップ
をさらに含む、請求項26から46のいずれか一項に記載の方法。
【請求項４８】
前記マルチリンク協調が、以下の協調のうちの少なくとも1つ、すなわち、電力協調、ランダムアクセス協調、および電力ヘッドルーム協調のうちの少なくとも1つを含む、請求項47に記載の方法。
【請求項４９】
基地局であって、
ユーザ機器（UE）によって送信されるアップリンク情報を受信するように構成されたトランシーバモジュールと、
前記アップリンク情報に基づいて前記UEのために第1のセットおよび／または第2のセットを構成し、前記第1のセットまたは前記第2のセットが構成されるときに、前記第1のセットまたは前記第2のセットに含まれる送信点と前記UEとの間に複数のリンクを確立するように構成された処理モジュールであって、前記第1のセットおよび前記第2のセットが構成されるとき、前記第1のセットが、少なくとも2つの送信点を含み、前記第2のセットが、前記第1のセットのサブセットである、処理モジュールと
を備える、基地局。
【請求項５０】
前記第1のセットの送信点が、測定された信号強度が第1の閾値以上である送信点であり、前記第2のセットの送信点が、測定された信号強度が第2の閾値以上である送信点であり、前記第2の閾値が、前記第1の閾値よりも大きい、請求項49に記載の基地局。
【請求項５１】
前記第2のセットに含まれる各送信点を、前記第1のセットからアクティブ化または非アクティブ化することができる、請求項49または50に記載の基地局。
【請求項５２】
前記処理モジュールが、前記第2のセットに含まれる前記送信点が前記第2の閾値を満たさなくなったときに、前記第2の閾値を満たす、前記第2のセット外かつ前記第1のセット内の送信点を前記第2のセットに追加するようにさらに構成される、請求項49から51のいずれか一項に記載の基地局。
【請求項５３】
前記アップリンク情報が、少なくとも1つのダウンリンク測定結果のうちの、前記第1の閾値または前記第2の閾値よりも大きいダウンリンク測定結果であり、前記少なくとも1つのダウンリンク測定結果が、少なくとも1つの送信点のダウンリンク信号を測定することによって前記UEにより取得される、請求項49から51のいずれか一項に記載の基地局。
【請求項５４】
前記少なくとも1つのダウンリンク測定結果が、前記少なくとも1つの送信点の前記ダウンリンク信号のRRM測定を行うことによって前記UEにより取得される、請求項53に記載の基地局。
【請求項５５】
前記アップリンク情報が、少なくとも1つの送信点識別子であり、前記少なくとも1つの送信点識別子が、少なくとも1つの送信点のダウンリンク信号を測定することによって前記UEにより取得される少なくとも1つのダウンリンク測定結果のうちの、前記第1の閾値または前記第2の閾値よりも大きいダウンリンク測定結果に対応する送信点識別子である、請求項49から52のいずれか一項に記載の基地局。
【請求項５６】
前記アップリンク情報が、第2の予め設定された閾値よりも大きい送信点識別子を昇順または降順にソートすることによって前記UEにより取得される、請求項55に記載の基地局。
【請求項５７】
前記アップリンク情報が、特に、前記UEによって送信されるアップリンク信号であり、前記アップリンク信号が、以下の信号のうちの少なくとも1つ、すなわち、アップリンクサウンディング信号、アップリンクサウンディング基準信号、アップリンクシーケンスコード、またはプリアンブルのうちの少なくとも1つである、請求項49から52のいずれか一項に記載の基地局。
【請求項５８】
前記UEによって送信される前記アップリンク情報を受信する前に、前記トランシーバモジュールが、無線リソース制御（RRC）シグナリングを使用して前記アップリンク信号のアップリンク送信サブフレームまたはアップリンク送信サブフレームセットを通知するようにさらに構成される、請求項57に記載の基地局。
【請求項５９】
前記RRCシグナリングを使用して前記アップリンク信号の前記アップリンク送信サブフレームまたは前記アップリンク送信サブフレームセットを通知する前に、前記トランシーバモジュールが、基地局間インタフェースを使用して前記アップリンク送信サブフレームまたは前記アップリンク送信サブフレームセットを調整するかまたは予め構成するようにさらに構成される、請求項58に記載の基地局。
【請求項６０】
前記第1のセットに含まれる前記送信点が、第1のセルを構成し、前記第1のセルが、第1のクラスタ、第1の仮想セル、または第1のスーパーセルである、請求項49から59のいずれか一項に記載の基地局。
【請求項６１】
前記第1のセルに含まれるプライマリ送信点が固定または可変である、請求項60に記載の基地局。
【請求項６２】
前記第1のセルが、対応するセル識別子を有し、前記第1のセルが前記第1のクラスタ、前記第1の仮想セル、または前記第1のスーパーセルである場合、前記第1のセルに対応する前記セル識別子が、クラスタ識別子、仮想セル識別子、またはスーパーセル識別子である、請求項60に記載の基地局。
【請求項６３】
前記第2のセットに含まれる前記送信点が、第2のセルを構成し、前記第2のセルが、第2のクラスタ、第2の仮想セル、または第2のスーパーセルである、請求項49から62のいずれか一項に記載の基地局。
【請求項６４】
前記第2のセルに含まれるプライマリ送信点が、前記UEの移動と共に変更される、請求項63に記載の基地局。
【請求項６５】
前記第2のセルが、対応するセル識別子を有し、前記第2のセルが前記第2のクラスタ、前記第2の仮想セル、または前記第2のスーパーセルである場合、前記第2のセルに対応する前記セル識別子が、クラスタ識別子、仮想セル識別子、またはスーパーセル識別子である、請求項63に記載の基地局。
【請求項６６】
前記第2のセットが、マルチRRCリンクモードにあり、前記第2のセット内の少なくとも2つの送信点が、前記UEとのRRCリンクを確立するか、または
前記第2のセットが、シングルRRCリンクモードにあり、前記第2のセット内の1つの送信点が、前記UEとのRRCリンクを確立するか、または
前記第2のセットが、準静的モードにあり、前記第2のセット内の前記送信点が、準静的な方法で前記第1のセット内で変更される、請求項49から65のいずれか一項に記載の基地局。
【請求項６７】
前記UEによって送信される前記アップリンク情報を受信する前に、前記トランシーバモジュールが、構成シグナリングを使用して前記第1の閾値または前記第2の閾値を前記UEに送信するようにさらに構成される、請求項49から66のいずれか一項に記載の基地局。
【請求項６８】
前記トランシーバモジュールが、前記UEによって送信される、前記第1の閾値または前記第2の閾値を満たす送信点のアップリンク情報を受信するようにさらに構成される、請求項67に記載の基地局。
【請求項６９】
前記処理モジュールが前記アップリンク情報に基づいて前記UEのために前記第1のセットおよび／または前記第2のセットを構成した後に、前記トランシーバモジュールが、無線リソース制御（RRC）シグナリングを使用して前記第1のセットおよび／もしくは前記第2のセットに関する情報を前記UEに送信し、ならびに／または媒体アクセス制御（MAC）シグナリングを使用して前記第2のセットのアクティブ化もしくは非アクティブ化情報を前記UEに送信するようにさらに構成される、請求項49から68のいずれか一項に記載の基地局。
【請求項７０】
前記トランシーバモジュールが、前記UEにマルチリンク協調を行うように命令するために、無線リソース制御（RRC）シグナリングを使用してマルチリンク構成情報を前記UEに送信するようにさらに構成される、請求項49から69のいずれか一項に記載の基地局。
【請求項７１】
前記マルチリンク協調が、以下の協調のうちの少なくとも1つ、すなわち、電力協調、ランダムアクセス協調、および電力ヘッドルーム協調のうちの少なくとも1つを含む、請求項70に記載の基地局。
【請求項７２】
前記処理モジュールが、前記複数のリンクのうちの非アクティブリンクがアクティブ化されたときに、前にアクティブ化されたリンクの媒体アクセス制御（MAC）シグナリングを使用して、現在アクティブ化されたリンクにアップリンク送信を行わせ、前記アップリンク送信が、以下の送信のうちの少なくとも1つ、すなわち、ランダムアクセス送信、スケジューリング要求送信、サウンディング基準信号送信、およびバッファ状態報告送信のうちの少なくとも1つを含む、ようにさらに構成される、請求項49から71のいずれか一項に記載の基地局。
【請求項７３】
前記基地局が、特に、マクロ基地局またはマスタノードであり、前記送信点が、スモールセルである、請求項49から72のいずれか一項に記載の基地局。
【請求項７４】
ユーザ機器（UE）であって、
アップリンク情報を生成するように構成された処理モジュールと、
前記アップリンク情報を基地局に送信するように構成されたトランシーバモジュールであって、これにより、前記基地局が、前記アップリンク情報に基づいて前記UEのために第1のセットおよび／または第2のセットを構成し、前記第1のセットまたは前記第2のセットが構成されるときに、前記第1のセットまたは前記第2のセットに含まれる送信点と前記UEとの間に複数のリンクを確立し、前記第1のセットおよび前記第2のセットが構成されるとき、前記第1のセットが、少なくとも2つの送信点を含み、前記第2のセットが、前記第1のセットのサブセットである、トランシーバモジュールと
を備える、UE。
【請求項７５】
前記第1のセットの送信点が、測定された信号強度が第1の閾値以上である送信点であり、前記第2のセットの送信点が、測定された信号強度が第2の閾値以上である送信点であり、前記第2の閾値が、前記第1の閾値よりも大きい、請求項74に記載のUE。
【請求項７６】
前記第2のセットに含まれる各送信点を、前記第1のセットからアクティブ化または非アクティブ化することができる、請求項74または75に記載のUE。
【請求項７７】
前記第2のセットに含まれる前記送信点が前記第2の閾値を満たさなくなったときに、前記第2の閾値を満たす、前記第2のセット外かつ前記第1のセット内の送信点が、前記第2のセットに追加される、請求項74から76のいずれか一項に記載のUE。
【請求項７８】
前記アップリンク情報が、前記第1の閾値または前記第2の閾値よりも大きいダウンリンク測定結果を含み、
前記処理モジュールが、少なくとも1つの送信点のダウンリンク信号を測定して、少なくとも1つのダウンリンク測定結果を取得し、前記少なくとも1つのダウンリンク測定結果から、前記第1の閾値または前記第2の閾値よりも大きいダウンリンク測定結果を決定するように構成される、請求項74から77のいずれか一項に記載のUE。
【請求項７９】
前記処理モジュールが、前記少なくとも1つの送信点のダウンリンク基準情報に関してRRM測定を行って、前記少なくとも1つのダウンリンク測定結果を取得するようにさらに構成される、請求項78に記載のUE。
【請求項８０】
前記アップリンク情報が、前記第1の閾値または前記第2の閾値よりも大きいダウンリンク測定結果に対応する送信点識別子を含み、
前記処理モジュールが、少なくとも1つの送信点のダウンリンク信号を測定して、少なくとも1つのダウンリンク測定結果を取得し、前記少なくとも1つのダウンリンク測定結果から、前記第1の閾値または前記第2の閾値よりも大きいダウンリンク測定結果に対応する前記送信点識別子を決定するようにさらに構成される、請求項74から77のいずれか一項に記載のUE。
【請求項８１】
前記処理モジュールが、前記アップリンク情報を取得するために、前記第1の閾値または前記第2の閾値よりも大きいダウンリンク測定結果に対応する前記送信点識別子を昇順または降順にソートするようにさらに構成される、請求項80に記載のUE。
【請求項８２】
前記アップリンク情報が、特に、前記UEによって送信されるアップリンク信号であり、前記アップリンク信号が、以下の信号のうちの少なくとも1つ、すなわち、アップリンクサウンディング信号、アップリンクサウンディング基準信号、アップリンクシーケンスコード、またはプリアンブルのうちの少なくとも1つである、請求項74から77のいずれか一項に記載のUE。
【請求項８３】
前記アップリンク情報を前記基地局に送信する前に、前記トランシーバモジュールが、無線リソース制御（RRC）シグナリングを使用して前記基地局によって通知される、前記アップリンク信号のアップリンク送信サブフレームまたはアップリンク送信サブフレームセットを受信するようにさらに構成される、請求項81に記載のUE。
【請求項８４】
前記アップリンク送信サブフレームまたは前記アップリンク送信サブフレームセットが、基地局間インタフェースを使用して前記基地局によって調整されるかまたは予め構成される、請求項83に記載のUE。
【請求項８５】
前記第1のセットに含まれる前記送信点のカバレッジエリアが、第1のセルを構成し、前記第1のセルが、第1のクラスタ、第1の仮想セル、または第1のスーパーセルである、請求項74から84のいずれか一項に記載のUE。
【請求項８６】
前記第1のセルに含まれるプライマリ送信点が固定または可変である、請求項85に記載のUE。
【請求項８７】
前記第1のセルが、対応するセル識別子を有し、前記第1のセルが前記第1のクラスタ、前記第1の仮想セル、または前記第1のスーパーセルである場合、前記第1のセルに対応する前記セル識別子が、クラスタ識別子、仮想セル識別子、またはスーパーセル識別子である、請求項85に記載のUE。
【請求項８８】
前記第2のセットに含まれる前記送信点のカバレッジエリアが、第2のセルを構成し、前記第2のセルが、第2のクラスタ、第2の仮想セル、または第2のスーパーセルである、請求項74から87のいずれか一項に記載のUE。
【請求項８９】
前記第2のセルに含まれるプライマリ送信点が、前記UEの移動と共に変更される、請求項88に記載のUE。
【請求項９０】
前記第2のセルが、対応するセル識別子を有し、前記第2のセルが前記第2のクラスタ、前記第2の仮想セル、または前記第2のスーパーセルである場合、前記第2のセルに対応する前記セル識別子が、クラスタ識別子、仮想セル識別子、またはスーパーセル識別子である、請求項88に記載のUE。
【請求項９１】
前記第2のセットが、マルチRRCリンクモードにあり、前記第2のセット内の少なくとも2つの送信点が、前記UEとのRRCリンクを確立するか、または
前記第2のセットが、シングルRRCリンクモードにあり、前記第2のセット内の1つの送信点が、前記UEとのRRCリンクを確立するか、または
前記第2のセットが、準静的モードにあり、前記第2のセット内の前記送信点が、準静的な方法で前記第1のセット内で変更される、請求項74から90のいずれか一項に記載のUE。
【請求項９２】
前記アップリンク情報を前記基地局に送信する前に、前記トランシーバモジュールが、構成シグナリングを使用して前記基地局によって送信される前記第1の閾値または前記第2の閾値を受信するようにさらに構成される、請求項74から91のいずれか一項に記載のUE。
【請求項９３】
前記トランシーバモジュールが、前記第1の閾値または前記第2の閾値を満たす送信点のアップリンク情報を前記基地局に送信するようにさらに構成される、請求項92に記載のUE。
【請求項９４】
前記アップリンク情報を前記基地局に送信した後に、前記トランシーバモジュールが、無線リソース制御（RRC）シグナリングを使用して前記基地局によって送信される、前記第1のセットおよび／もしくは前記第2のセットに関する情報を受信し、ならびに／または媒体アクセス制御（MAC）シグナリングを使用して前記基地局によって前記UEに送信される、前記第2のセットのアクティブ化もしくは非アクティブ化情報を受信するようにさらに構成される、請求項74から93のいずれか一項に記載のUE。
【請求項９５】
前記トランシーバモジュールが、マルチリンク協調を行うために、無線リソース制御（RRC）シグナリングを使用して前記基地局によって送信されるマルチリンク構成情報を受信するようにさらに構成される、請求項74から94のいずれか一項に記載のUE。
【請求項９６】
前記マルチリンク協調が、以下の協調のうちの少なくとも1つ、すなわち、電力協調、ランダムアクセス協調、および電力ヘッドルーム協調のうちの少なくとも1つを含む、請求項95に記載のUE。
【請求項９７】
基地局であって、
プロセッサと、メモリと、通信インタフェースと、システムバスとを備え、
前記メモリと、前記通信インタフェースと、前記プロセッサとが、前記システムバスを使用して互いに接続され、相互通信を実施し、前記メモリが、コンピュータ実行命令を格納するように構成され、前記通信インタフェースが、別のデバイスと通信するように構成され、前記プロセッサが、前記コンピュータ実行命令を実行するように構成され、これにより、前記基地局が、請求項1から25のいずれか一項に記載の方法を実行する、基地局。
【請求項９８】
ユーザ機器であって、
プロセッサと、メモリと、通信インタフェースと、システムバスとを備え、
前記メモリと、前記通信インタフェースと、前記プロセッサとが、前記システムバスを使用して互いに接続され、相互通信を実施し、前記メモリが、コンピュータ実行命令を格納するように構成され、前記通信インタフェースが、別のデバイスと通信するように構成され、前記プロセッサが、前記コンピュータ実行命令を実行するように構成され、これにより、前記ユーザ機器が、請求項26から48のいずれか一項に記載の方法を実行する、ユーザ機器。
【発明の詳細な説明】
【技術分野】
【０００１】
本発明の実施態様は、通信技術の分野に関し、特に、マルチリンク構成方法、基地局、およびユーザ機器に関する。
【背景技術】
【０００２】
超高密度ネットワーク（Ultra-Dense Network、UDN）は、第5世代移動体通信（the 5th Generation Mobile Communication、5G）の重要な技術である。UDNは、大量のデータを必要とし、大量のデータ接続を有するホットスポットエリア（スタジアム、鉄道駅の待機ホール、またはオフィスなど）で、ネットワークの展開時に実行される超高密度ネットワーキングを指す。言い換えれば、これらのホットスポットエリアにはスモールセルが大規模に配置され、隣接するスモールセル間の距離はわずか数十メートルの場合がある。
【０００３】
UDNでは、スモールセルのカバレッジエリアが小さいため、ユーザ機器（User Equipment、UE）が低速または中速で移動する場合であっても、頻繁なハンドオーバが発生する。ハンドオーバは、エアインタフェースのシグナリングオーバヘッドを増加させるだけでなく、データの中断をも引き起こす。したがって、UDNネットワークにおけるUEの頻繁なハンドオーバの問題をどのように解決するかは、業界において解決されるべき緊急の問題である。
【発明の概要】
【課題を解決するための手段】
【０００４】
本発明の実施態様は、ユーザ機器のために複数のリンクを構成することによってUDNネットワークにおけるUEの頻繁なハンドオーバの問題を解決するマルチリンク構成方法、基地局、およびユーザ機器を提供する。
【０００５】
一態様によれば、本発明の一実施形態は、マルチリンク構成方法を提供する。本方法は、基地局の観点から説明される。この方法において、基地局は、UEによって生成され送信されるアップリンク情報を受信し、アップリンク情報に基づいてUEのために第1のセットおよび／または第2のセットを構成する。第1のセットまたは第2のセットが構成されるとき、第1のセットまたは第2のセットに含まれる送信点とUEとの間に複数のリンクが確立される。第1のセットおよび第2のセットが構成されるとき、第1のセットは、少なくとも2つの送信点を含み、第2のセットは、第1のセットのサブセットである。このプロセスにおいて、第1のセットに含まれる送信点は、候補送信点であり、第2のセットに含まれる送信点は、ユーザとの複数のリンクを確立し、実際にデータをUEに送信する送信点である。リンクの中断およびサービスの中断の回数を低減するために、第2のセットに含まれる送信点の信号が弱くなったまたは中断されたとき、良質の送信点が、第1のセットから選択され、第2のセットに追加され、それにより、UDNネットワークにおけるUEの頻繁なハンドオーバの問題を解決する。
【０００６】
可能な実施態様では、第1のセットの送信点は、測定された信号強度が第1の閾値以上である送信点であり、第2のセットの送信点は、測定された信号強度が第2の閾値以上である送信点であり、第2の閾値は、第1の閾値よりも大きい。
【０００７】
可能な実施態様では、第2のセットに含まれる各送信点は、第1のセットからアクティブ化または非アクティブ化することができる。
【０００８】
可能な実施態様では、第2のセットに含まれる送信点が第2の閾値を満たさなくなったとき、第2の閾値を満たす、第2のセット外かつ第1のセット内の送信点が、第2のセットに追加される。
【０００９】
可能な実施態様では、アップリンク情報は、少なくとも1つのダウンリンク測定結果のうちの、第1の閾値または第2の閾値よりも大きいダウンリンク測定結果であり、少なくとも1つのダウンリンク測定結果は、少なくとも1つの送信点のダウンリンク信号を測定することによってUEにより取得される。
【００１０】
可能な実施態様では、少なくとも1つのダウンリンク測定結果は、少なくとも1つの送信点のダウンリンク信号のRRM測定を行うことによってUEにより取得される。
【００１１】
可能な実施態様では、アップリンク情報は、少なくとも1つの送信点識別子であり、少なくとも1つの送信点識別子は、少なくとも1つの送信点のダウンリンク信号を測定することによってUEにより取得される少なくとも1つのダウンリンク測定結果のうちの、第1の閾値または第2の閾値よりも大きいダウンリンク測定結果に対応する送信点識別子である。
【００１２】
可能な実施態様では、アップリンク情報は、第2の予め設定された閾値よりも大きい送信点識別子を昇順または降順にソートすることによってUEにより取得される。
【００１３】
可能な実施態様では、アップリンク情報は、特に、UEによって送信されるアップリンク信号であり、このアップリンク信号は、以下の信号のうちの少なくとも1つ、すなわち、アップリンクサウンディング信号、アップリンクサウンディング基準信号、アップリンクシーケンスコード、またはプリアンブルのうちの少なくとも1つである。
【００１４】
可能な実施態様では、ユーザ機器UEによって送信されたアップリンク情報を基地局によって受信するステップの前に、本方法は、
基地局によって、無線リソース制御RRCシグナリングを使用してアップリンク信号のアップリンク送信サブフレームまたはアップリンク送信サブフレームセットを通知するステップをさらに含む。
【００１５】
可能な実施態様では、基地局によって、RRCシグナリングを使用してアップリンク信号のアップリンク送信サブフレームまたはアップリンク送信サブフレームセットを通知するステップの前に、本方法は、
基地局によって、基地局間インタフェースを使用してアップリンク送信サブフレームまたはアップリンク送信サブフレームセットを調整するかまたは予め構成するステップをさらに含む。
【００１６】
可能な実施態様では、第1のセットに含まれる送信点は、第1のセルを構成し、第1のセルは、第1のクラスタ、第1の仮想セル、または第1のスーパーセルである。
【００１７】
可能な実施態様では、第1のセルに含まれるプライマリ送信点は固定または可変である。
【００１８】
可能な実施態様では、第1のセルは、対応するセル識別子を有し、第1のセルが第1のクラスタ、第1の仮想セル、または第1のスーパーセルである場合、第1のセルに対応するセル識別子は、クラスタ識別子、仮想セル識別子、またはスーパーセル識別子である。
【００１９】
可能な実施態様では、第2のセットに含まれる送信点は、第2のセルを構成し、第2のセルは、第2のクラスタ、第2の仮想セル、または第2のスーパーセルである。
【００２０】
可能な実施態様では、第2のセルに含まれるプライマリ送信点は、UEの移動と共に変更される。
【００２１】
可能な実施態様では、第2のセルは、対応するセル識別子を有し、第2のセルが第2のクラスタ、第2の仮想セル、または第2のスーパーセルである場合、第2のセルに対応するセル識別子は、クラスタ識別子、仮想セル識別子、またはスーパーセル識別子である。
【００２２】
可能な実施態様では、第2のセットは、マルチRRCリンクモードにあり、第2のセット内の少なくとも2つの送信点が、UEとのRRCリンクを確立するか、または、第2のセットは、シングルRRCリンクモードにあり、第2のセット内の1つの送信点が、UEとのRRCリンクを確立するか、または、第2のセットは、準静的モードにあり、第2のセット内の送信点は、準静的な方法で第1のセット内で変更される。
【００２３】
可能な実施態様では、ユーザ機器UEによって送信されたアップリンク情報を基地局によって受信するステップの前に、本方法は、
基地局によって、構成シグナリングを使用して第1の閾値または第2の閾値をUEに送信するステップをさらに含む。
【００２４】
可能な実施態様では、ユーザ機器UEによって送信されたアップリンク情報を基地局によって受信するステップは、
ユーザ機器UEによって送信された、第1の閾値または第2の閾値を満たす送信点のアップリンク情報を基地局によって受信するステップを含む。
【００２５】
可能な実施態様では、基地局によって、アップリンク情報に基づいてUEのために第1のセットおよび／または第2のセットを構成するステップの後に、本方法は、
基地局によって、無線リソース制御RRCシグナリングを使用して第1のセットおよび／もしくは第2のセットに関する情報をUEに送信するステップ、ならびに／または
基地局によって、媒体アクセス制御MACシグナリングを使用して第2のセットのアクティブ化もしくは非アクティブ化情報をUEに送信するステップ
をさらに含む。
【００２６】
可能な実施態様では、基地局は、UEにマルチリンク協調を行うように命令するために、RRCシグナリングを使用してマルチリンク構成情報をUEに送信する。
【００２７】
可能な実施態様では、マルチリンク協調は、以下の協調のうちの少なくとも1つ、すなわち、電力協調、ランダムアクセス協調、および電力ヘッドルーム協調のうちの少なくとも1つを含む。
【００２８】
可能な実施態様では、複数のリンクのうちの非アクティブリンクがアクティブ化されたとき、基地局は、前にアクティブ化されたリンクの媒体アクセス制御MACシグナリングを使用して、現在アクティブ化されているリンクにアップリンク送信を行わせ、アップリンク送信は、以下の送信のうちの少なくとも1つ、すなわち、ランダムアクセス送信、スケジューリング要求送信、サウンディング基準信号送信、およびバッファ状態報告送信のうちの少なくとも1つを含む。
【００２９】
可能な実施態様では、基地局は、特にマクロ基地局macro eNB、またはマスタノードmaster nodeであり、送信点は、スモールセルである。
【００３０】
一態様によれば、本発明の一実施形態は、マルチリンク構成方法を提供する。本方法は、ユーザ機器の観点から説明される。この方法では、UEは、アップリンク情報を生成し、このアップリンク情報を基地局に送信する。基地局は、アップリンク情報に基づいてUEのために第1のセットおよび／または第2のセットを構成する。第1のセットまたは第2のセットが構成されるとき、第1のセットまたは第2のセットに含まれる送信点とUEとの間に複数のリンクが確立される。第1のセットおよび第2のセットが構成されるとき、第1のセットは、少なくとも2つの送信点を含み、第2のセットは、第1のセットのサブセットである。このプロセスにおいて、第1のセットに含まれる送信点は、候補送信点であり、第2のセットに含まれる送信点は、ユーザとの複数のリンクを確立し、実際にデータをUEに送信する送信点である。リンクの中断およびサービスの中断の回数を低減するために、第2のセットに含まれる送信点の信号が弱くなったまたは中断されたとき、良質の送信点が、第1のセットから選択され、第2のセットに追加され、それにより、UDNネットワークにおけるUEの頻繁なハンドオーバの問題を解決する。
【００３１】
可能な実施態様では、第1のセットの送信点は、測定された信号強度が第1の閾値以上である送信点であり、第2のセットの送信点は、測定された信号強度が第2の閾値以上である送信点であり、第2の閾値は、第1の閾値よりも大きい。
【００３２】
可能な実施態様では、第2のセットに含まれる各送信点は、第1のセットからアクティブ化または非アクティブ化することができる。
【００３３】
可能な実施態様では、第2のセットに含まれる送信点が第2の閾値を満たさなくなったとき、第2の閾値を満たす、第2のセット外かつ第1のセット内の送信点が、第2のセットに追加される。
【００３４】
可能な実施態様では、アップリンク情報は、第1の閾値または第2の閾値よりも大きいダウンリンク測定結果を含み、
ユーザ機器UEによってアップリンク情報を生成するステップは、
UEによって少なくとも1つの送信点のダウンリンク信号を測定して、少なくとも1つのダウンリンク測定結果を取得するステップと、
UEによって少なくとも1つのダウンリンク測定結果から、第1の閾値または第2の閾値よりも大きいダウンリンク測定結果を決定するステップと
を含む。
【００３５】
可能な実施態様では、UEによって少なくとも1つの送信点のダウンリンク信号を測定して、少なくとも1つのダウンリンク測定結果を取得するステップは、
UEによって少なくとも1つの送信点のダウンリンク基準情報に関してRRM測定を行って、少なくとも1つのダウンリンク測定結果を取得するステップを含む。
【００３６】
可能な実施態様では、アップリンク情報は、第1の閾値または第2の閾値よりも大きいダウンリンク測定結果に対応する送信点識別子を含み、
ユーザ機器UEによってアップリンク情報を生成するステップは、
UEによって少なくとも1つの送信点のダウンリンク信号を測定して、少なくとも1つのダウンリンク測定結果を取得するステップと、
UEによって少なくとも1つのダウンリンク測定結果から、第1の閾値または第2の閾値よりも大きいダウンリンク測定結果に対応する送信点識別子を決定するステップと
を含む。
【００３７】
可能な実施態様では、アップリンク情報は、第1の閾値または第2の閾値よりも大きいダウンリンク測定結果に対応する送信点識別子を昇順または降順にソートすることによってUEにより取得される。
【００３８】
可能な実施態様では、アップリンク情報は、特に、UEによって送信されるアップリンク信号であり、このアップリンク信号は、以下の信号のうちの少なくとも1つ、すなわち、アップリンクサウンディング信号、アップリンクサウンディング基準信号、アップリンクシーケンスコード、またはプリアンブルのうちの少なくとも1つである。
【００３９】
可能な実施態様では、UEによってアップリンク情報を基地局に送信するステップの前に、本方法は、
無線リソース制御RRCシグナリングを使用して基地局によって通知された、アップリンク信号のアップリンク送信サブフレームまたはアップリンク送信サブフレームセットをUEによって受信するステップをさらに含む。
【００４０】
可能な実施態様では、アップリンク送信サブフレームまたはアップリンク送信サブフレームセットは、基地局間インタフェースを使用して基地局によって調整されるかまたは予め構成される。
【００４１】
可能な実施態様では、第1のセットに含まれる送信点のカバレッジエリアは、第1のセルを構成し、第1のセルは、第1のクラスタ、第1の仮想セル、または第1のスーパーセルである。
【００４２】
可能な実施態様では、第1のセルに含まれるプライマリ送信点は固定または可変である。
【００４３】
可能な実施態様では、第1のセルは、対応するセル識別子を有し、第1のセルが第1のクラスタ、第1の仮想セル、または第1のスーパーセルである場合、第1のセルに対応するセル識別子は、クラスタ識別子、仮想セル識別子、またはスーパーセル識別子である。
【００４４】
可能な実施態様では、第2のセットに含まれる送信点のカバレッジエリアは、第2のセルを構成し、第2のセルは、第2のクラスタ、第2の仮想セル、または第2のスーパーセルである。
【００４５】
可能な実施態様では、第2のセルに含まれるプライマリ送信点は、UEの移動と共に変更される。
【００４６】
可能な実施態様では、第2のセルは、対応するセル識別子を有し、第2のセルが第2のクラスタ、第2の仮想セル、または第2のスーパーセルである場合、第2のセルに対応するセル識別子は、クラスタ識別子、仮想セル識別子、またはスーパーセル識別子である。
【００４７】
可能な実施態様では、第2のセットは、マルチRRCリンクモードにあり、第2のセット内の少なくとも2つの送信点が、UEとのRRCリンクを確立するか、または、第2のセットは、シングルRRCリンクモードにあり、第2のセット内の1つの送信点が、UEとのRRCリンクを確立するか、または、第2のセットは、準静的モードにあり、第2のセット内の送信点は、準静的な方法で第1のセット内で変更される。
【００４８】
可能な実施態様では、ユーザ機器UEによってアップリンク情報を基地局に送信するステップの前に、本方法は、
構成シグナリングを使用して基地局によって送信された第1の閾値または第2の閾値をUEによって受信するステップをさらに含む。
【００４９】
可能な実施態様では、ユーザ機器UEによってアップリンク情報を基地局に送信するステップは、
UEによって、第1の閾値または第2の閾値を満たす送信点のアップリンク情報を基地局に送信するステップを含む。
【００５０】
可能な実施態様では、ユーザ機器UEによってアップリンク情報を基地局に送信するステップの後に、本方法は、
無線リソース制御RRCシグナリングを使用して基地局によって送信された、第1のセットおよび／もしくは第2のセットに関する情報をUEによって受信するステップ、ならびに／または
媒体アクセス制御MACシグナリングを使用して基地局によってUEに送信された、第2のセットのアクティブ化または非アクティブ化情報をUEによって受信するステップ
をさらに含む。
【００５１】
可能な実施態様では、UEは、マルチリンク協調を行うために、RRCシグナリングを使用して基地局によって送信されたマルチリンク構成情報を受信する。
【００５２】
可能な実施態様では、マルチリンク協調は、以下の協調のうちの少なくとも1つ、すなわち、電力協調、ランダムアクセス協調、および電力ヘッドルーム協調のうちの少なくとも1つを含む。
【００５３】
別の態様によれば、本発明の一実施形態は、基地局であって、
ユーザ機器UEによって送信されるアップリンク情報を受信するように構成されたトランシーバモジュールと、
アップリンク情報に基づいてUEのために第1のセットおよび／または第2のセットを構成し、第1のセットまたは第2のセットが構成されるとき、第1のセットまたは第2のセットに含まれる送信点とUEとの間に複数のリンクを確立するように構成された処理モジュールであって、第1のセットおよび第2のセットが構成されるとき、第1のセットが、少なくとも2つの送信点を含み、第2のセットが、第1のセットのサブセットである、処理モジュールと
を含む、基地局を提供する。
【００５４】
可能な実施態様では、第1のセットの送信点は、測定された信号強度が第1の閾値以上である送信点であり、第2のセットの送信点は、測定された信号強度が第2の閾値以上である送信点であり、第2の閾値は、第1の閾値よりも大きい。
【００５５】
可能な実施態様では、第2のセットに含まれる各送信点は、第1のセットからアクティブ化または非アクティブ化することができる。
【００５６】
可能な実施態様では、処理モジュールは、第2のセットに含まれる送信点が第2の閾値を満たさなくなったとき、第2の閾値を満たす、第2のセット外かつ第1のセット内の送信点を第2のセットに追加するようにさらに構成される。
【００５７】
可能な実施態様では、アップリンク情報は、少なくとも1つのダウンリンク測定結果のうちの、第1の閾値または第2の閾値よりも大きいダウンリンク測定結果であり、少なくとも1つのダウンリンク測定結果は、少なくとも1つの送信点のダウンリンク信号を測定することによってUEにより取得される。
【００５８】
可能な実施態様では、少なくとも1つのダウンリンク測定結果は、少なくとも1つの送信点のダウンリンク信号のRRM測定を行うことによってUEにより取得される。
【００５９】
可能な実施態様では、アップリンク情報は、少なくとも1つの送信点識別子であり、少なくとも1つの送信点識別子は、少なくとも1つの送信点のダウンリンク信号を測定することによってUEにより取得される少なくとも1つのダウンリンク測定結果のうちの、第1の閾値または第2の閾値よりも大きいダウンリンク測定結果に対応する送信点識別子である。
【００６０】
可能な実施態様では、アップリンク情報は、第2の予め設定された閾値よりも大きい送信点識別子を昇順または降順にソートすることによってUEにより取得される。
【００６１】
可能な実施態様では、アップリンク情報は、特に、UEによって送信されるアップリンク信号であり、このアップリンク信号は、以下の信号のうちの少なくとも1つ、すなわち、アップリンクサウンディング信号、アップリンクサウンディング基準信号、アップリンクシーケンスコード、またはプリアンブルのうちの少なくとも1つである。
【００６２】
可能な実施態様では、ユーザ機器UEによって送信されるアップリンク情報を受信する前に、トランシーバモジュールは、無線リソース制御RRCシグナリングを使用してアップリンク信号のアップリンク送信サブフレームまたはアップリンク送信サブフレームセットを通知するようにさらに構成される。
【００６３】
可能な実施態様では、RRCシグナリングを使用してアップリンク信号のアップリンク送信サブフレームまたはアップリンク送信サブフレームセットを通知する前に、トランシーバモジュールは、基地局間インタフェースを使用してアップリンク送信サブフレームまたはアップリンク送信サブフレームセットを調整するまたは予め構成するようにさらに構成される。
【００６４】
可能な実施態様では、第1のセットに含まれる送信点は、第1のセルを構成し、第1のセルは、第1のクラスタ、第1の仮想セル、または第1のスーパーセルである。
【００６５】
可能な実施態様では、第1のセルに含まれるプライマリ送信点は固定または可変である。
【００６６】
可能な実施態様では、第1のセルは、対応するセル識別子を有し、第1のセルが第1のクラスタ、第1の仮想セル、または第1のスーパーセルである場合、第1のセルに対応するセル識別子は、クラスタ識別子、仮想セル識別子、またはスーパーセル識別子である。
【００６７】
可能な実施態様では、第2のセットに含まれる送信点は、第2のセルを構成し、第2のセルは、第2のクラスタ、第2の仮想セル、または第2のスーパーセルである。
【００６８】
可能な実施態様では、第2のセルに含まれるプライマリ送信点は、UEの移動と共に変更される。
【００６９】
可能な実施態様では、第2のセルは、対応するセル識別子を有し、第2のセルが第2のクラスタ、第2の仮想セル、または第2のスーパーセルである場合、第2のセルに対応するセル識別子は、クラスタ識別子、仮想セル識別子、またはスーパーセル識別子である。
【００７０】
可能な実施態様では、第2のセットは、マルチRRCリンクモードにあり、第2のセット内の少なくとも2つの送信点が、UEとのRRCリンクを確立するか、または、第2のセットは、シングルRRCリンクモードにあり、第2のセット内の1つの送信点が、UEとのRRCリンクを確立するか、または、第2のセットは、準静的モードにあり、第2のセット内の送信点は、準静的な方法で第1のセット内で変更される。
【００７１】
ユーザ機器UEによって送信されるアップリンク情報を受信する前に、トランシーバモジュールは、構成シグナリングを使用して第1の閾値または第2の閾値をUEに送信するようにさらに構成される。
【００７２】
可能な実施態様では、トランシーバモジュールは、ユーザ機器UEによって送信される、第1の閾値または第2の閾値を満たす送信点のアップリンク情報を受信するように特に構成される。
【００７３】
可能な実施態様では、処理モジュールがアップリンク情報に基づいてUEのために第1のセットおよび／または第2のセットを構成した後に、トランシーバモジュールが、無線リソース制御RRCシグナリングを使用して第1のセットおよび／もしくは第2のセットに関する情報をUEに送信し、ならびに／または媒体アクセス制御MACシグナリングを使用して第2のセットのアクティブ化もしくは非アクティブ化情報をUEに送信するようにさらに構成される。
【００７４】
可能な実施態様では、トランシーバモジュールは、UEにマルチリンク協調を行うように命令するために、RRCシグナリングを使用してマルチリンク構成情報をUEに送信するようにさらに構成される。
【００７５】
可能な実施態様では、マルチリンク協調は、以下の協調のうちの少なくとも1つ、すなわち、電力協調、ランダムアクセス協調、および電力ヘッドルーム協調のうちの少なくとも1つを含む。
【００７６】
可能な実施態様では、処理モジュールは、複数のリンクのうちの非アクティブリンクがアクティブ化されたときに、前にアクティブ化されたリンクの媒体アクセス制御MACシグナリングを使用して、現在アクティブ化されているリンクにアップリンク送信を行わせ、アップリンク送信が、以下の送信のうちの少なくとも1つ、すなわち、ランダムアクセス送信、スケジューリング要求送信、サウンディング基準信号送信、およびバッファ状態報告送信のうちの少なくとも1つを含む、ようにさらに構成される。
【００７７】
可能な実施態様では、基地局は、特にマクロ基地局macro eNB、またはマスタノードmaster nodeであり、送信点は、スモールセルである。
【００７８】
別の態様によれば、本発明の一実施形態は、ユーザ機器UEであって、
アップリンク情報を生成するように構成された処理モジュールと、
アップリンク情報を基地局に送信するように構成されたトランシーバモジュールであって、これにより、基地局が、アップリンク情報に基づいてUEのために第1のセットおよび／または第2のセットを構成し、第1のセットまたは第2のセットが構成されるとき、第1のセットまたは第2のセットに含まれる送信点とUEとの間に複数のリンクを確立し、第1のセットおよび第2のセットが構成されるとき、第1のセットが、少なくとも2つの送信点を含み、第2のセットが、第1のセットのサブセットである、トランシーバモジュールと
を含む、ユーザ機器UEを提供する。
【００７９】
可能な実施態様では、第1のセットの送信点は、測定された信号強度が第1の閾値以上である送信点であり、第2のセットの送信点は、測定された信号強度が第2の閾値以上である送信点であり、第2の閾値は、第1の閾値よりも大きい。
【００８０】
可能な実施態様では、第2のセットに含まれる各送信点は、第1のセットからアクティブ化または非アクティブ化することができる。
【００８１】
可能な実施態様では、第2のセットに含まれる送信点が第2の閾値を満たさなくなったとき、第2の閾値を満たす、第2のセット外かつ第1のセット内の送信点が、第2のセットに追加される。
【００８２】
可能な実施態様では、アップリンク情報は、第1の閾値または第2の閾値よりも大きいダウンリンク測定結果を含み、
処理モジュールは、少なくとも1つの送信点のダウンリンク信号を測定して、少なくとも1つのダウンリンク測定結果を取得し、少なくとも1つのダウンリンク測定結果から、第1の閾値または第2の閾値よりも大きいダウンリンク測定結果を決定するように構成される。
【００８３】
可能な実施態様では、処理モジュールは、少なくとも1つの送信点のダウンリンク基準情報に関してRRM測定を行って、少なくとも1つのダウンリンク測定結果を取得するように特に構成される。
【００８４】
可能な実施態様では、アップリンク情報は、第1の閾値または第2の閾値よりも大きいダウンリンク測定結果に対応する送信点識別子を含み、
処理モジュールは、少なくとも1つの送信点のダウンリンク信号を測定して、少なくとも1つのダウンリンク測定結果を取得し、少なくとも1つのダウンリンク測定結果から、第1の閾値または第2の閾値よりも大きいダウンリンク測定結果に対応する送信点識別子を決定するように特に構成される。
【００８５】
可能な実施態様では、処理モジュールは、アップリンク情報を取得するために、第1の閾値または第2の閾値よりも大きいダウンリンク測定結果に対応する送信点識別子を昇順または降順にソートするようにさらに構成される。
【００８６】
可能な実施態様では、アップリンク情報は、特に、UEによって送信されるアップリンク信号であり、このアップリンク信号は、以下の信号のうちの少なくとも1つ、すなわち、アップリンクサウンディング信号、アップリンクサウンディング基準信号、アップリンクシーケンスコード、またはプリアンブルのうちの少なくとも1つである。
【００８７】
可能な実施態様では、アップリンク情報を基地局に送信する前に、トランシーバモジュールは、無線リソース制御RRCシグナリングを使用して基地局によって通知される、アップリンク信号のアップリンク送信サブフレームまたはアップリンク送信サブフレームセットを受信するようにさらに構成される。
【００８８】
可能な実施態様では、アップリンク送信サブフレームまたはアップリンク送信サブフレームセットは、基地局間インタフェースを使用して基地局によって調整されるかまたは予め構成される。
【００８９】
可能な実施態様では、第1のセットに含まれる送信点のカバレッジエリアは、第1のセルを構成し、第1のセルは、第1のクラスタ、第1の仮想セル、または第1のスーパーセルである。
【００９０】
可能な実施態様では、第1のセルに含まれるプライマリ送信点は固定または可変である。
【００９１】
可能な実施態様では、第1のセルは、対応するセル識別子を有し、第1のセルが第1のクラスタ、第1の仮想セル、または第1のスーパーセルである場合、第1のセルに対応するセル識別子は、クラスタ識別子、仮想セル識別子、またはスーパーセル識別子である。
【００９２】
可能な実施態様では、第2のセットに含まれる送信点のカバレッジエリアは、第2のセルを構成し、第2のセルは、第2のクラスタ、第2の仮想セル、または第2のスーパーセルである。
【００９３】
可能な実施態様では、第2のセルに含まれるプライマリ送信点は、UEの移動と共に変更される。
【００９４】
可能な実施態様では、第2のセルは、対応するセル識別子を有し、第2のセルが第2のクラスタ、第2の仮想セル、または第2のスーパーセルである場合、第2のセルに対応するセル識別子は、クラスタ識別子、仮想セル識別子、またはスーパーセル識別子である。
【００９５】
可能な実施態様では、第2のセットは、マルチRRCリンクモードにあり、第2のセット内の少なくとも2つの送信点が、UEとのRRCリンクを確立するか、または、第2のセットは、シングルRRCリンクモードにあり、第2のセット内の1つの送信点が、UEとのRRCリンクを確立するか、または、第2のセットは、準静的モードにあり、第2のセット内の送信点は、準静的な方法で第1のセット内で変更される。
【００９６】
可能な実施態様では、アップリンク情報を基地局に送信する前に、トランシーバモジュールは、構成シグナリングを使用して基地局によって送信される第1の閾値または第2の閾値を受信するようにさらに構成される。
【００９７】
可能な実施態様では、トランシーバモジュールは、第1の閾値または第2の閾値を満たす送信点のアップリンク情報を基地局に送信するように特に構成される。
【００９８】
可能な実施態様では、アップリンク情報を基地局に送信した後に、トランシーバモジュールは、無線リソース制御RRCシグナリングを使用して基地局によって送信される、第1のセットおよび／もしくは第2のセットに関する情報を受信し、ならびに／または媒体アクセス制御MACシグナリングを使用して基地局によってUEに送信される、第2のセットのアクティブ化もしくは非アクティブ化情報を受信するようにさらに構成される。
【００９９】
可能な実施態様では、トランシーバモジュールは、マルチリンク協調を行うために、RRCシグナリングを使用して基地局によって送信されるマルチリンク構成情報を受信するようにさらに構成される。
【０１００】
可能な実施態様では、マルチリンク協調は、以下の協調のうちの少なくとも1つ、すなわち、電力協調、ランダムアクセス協調、および電力ヘッドルーム協調のうちの少なくとも1つを含む。
【０１０１】
さらに別の態様によれば、本発明の一実施形態は、プロセッサと、メモリと、通信インタフェースと、システムバスとを含む基地局であって、メモリと、通信インタフェースと、プロセッサとが、システムバスを使用して互いに接続され相互通信を実施し、メモリが、コンピュータ実行命令を格納するように構成され、通信インタフェースが、別のデバイスと通信するように構成され、プロセッサが、コンピュータ実行命令を実行するように構成され、これにより、基地局が、基地局に適用される方法のステップを実行する、基地局を提供する。
【０１０２】
さらに別の態様によれば、本発明の一実施形態は、プロセッサと、メモリと、通信インタフェースと、システムバスとを含むユーザ機器であって、メモリと、通信インタフェースと、プロセッサとが、システムバスを使用して互いに接続され相互通信を実施し、メモリが、コンピュータ実行命令を格納するように構成され、通信インタフェースが、別のデバイスと通信するように構成され、プロセッサが、コンピュータ実行命令を実行するように構成され、これにより、ユーザ機器が、ユーザ機器に適用される方法のステップを実行する、ユーザ機器を提供する。
【０１０３】
さらに別の態様によれば、本発明の一実施形態は、基地局を提供し、基地局は、上記の方法の設計における第1の基地局の動作を実施する機能を有する。この機能は、ハードウェアによって実施されてもよいし、対応するソフトウェアを実行することによってハードウェアにより実施されてもよい。ハードウェアまたはソフトウェアは、上記の機能に対応する1つ以上のユニットを含む。
【０１０４】
可能な設計では、基地局の構造は、プロセッサおよび送信機を含む。プロセッサは、第1の基地局が上記の方法の対応する機能を実行するのをサポートするように構成される。送信機は、基地局と端末との間の通信をサポートし、上記の方法で使用される情報または命令を端末に送信するように構成される。基地局は、さらにメモリを含むことができ、メモリは、プロセッサに結合され、基地局に必要なプログラム命令およびデータを格納するように構成される。
【０１０５】
さらに別の態様によれば、本発明の一実施形態は、ユーザ機器を提供し、ユーザ機器は、上記の方法の設計におけるユーザ機器の動作を実施する機能を有する。この機能は、ハードウェアによって実施されてもよいし、対応するソフトウェアを実行することによってハードウェアにより実施されてもよい。ハードウェアまたはソフトウェアは、上記の機能に対応する1つ以上のユニットを含む。モジュールは、ソフトウェアおよび／またはハードウェアであってもよい。
【０１０６】
可能な設計では、ユーザ機器の構造は、受信機およびプロセッサを含む。プロセッサは、ユーザ機器が上記の方法の対応する機能を実行するのをサポートするように構成される。送信機は、ユーザ機器と基地局との間の通信をサポートし、上記の方法で使用され、基地局によって送信される情報または命令を受信するように構成される。ユーザ機器は、さらにメモリを含むことができ、メモリは、プロセッサに結合され、基地局に必要なプログラム命令およびデータを格納するように構成される。
【０１０７】
さらに別の態様によれば、本発明の一実施形態は、通信システムを提供し、このシステムは、上記の態様で説明した基地局およびユーザ機器を含む。
【０１０８】
さらに別の態様によれば、本発明の一実施形態は、上記の基地局によって使用されるコンピュータソフトウェア命令を格納するように構成されたコンピュータ記憶媒体を提供し、コンピュータソフトウェア命令は、上記の態様を実行させるように設計されたプログラムを含む。
【０１０９】
さらに別の態様によれば、本発明の一実施形態は、上記のユーザ機器によって使用されるコンピュータソフトウェア命令を格納するように構成されたコンピュータ記憶媒体を提供し、コンピュータソフトウェア命令は、上記の態様を実行させるように設計されたプログラムを含む。
【０１１０】
さらに別の態様によれば、本発明の一実施形態は、少なくとも1つのプロセッサと、メモリと、入出力部と、バスとを含むチップシステムを提供する。少なくとも1つのプロセッサは、上記の方法の設計における基地局の設計機能を実施するために、バスを使用してメモリ内の命令を取得するように構成される。
【０１１１】
さらに別の態様によれば、本発明の一実施形態は、少なくとも1つのプロセッサと、メモリと、入出力部と、バスとを含むチップシステムを提供する。少なくとも1つのプロセッサは、上記の方法の設計におけるユーザ機器の設計機能を実施するために、バスを使用してメモリ内の命令を取得するように構成される。
【０１１２】
本発明の実施形態は、マルチリンク構成方法、基地局、およびユーザ機器を提供する。UEは、アップリンク情報を生成し、このアップリンク情報を基地局に送信する。基地局は、アップリンク情報に基づいてUEのために第1のセットおよび／または第2のセットを構成する。第1のセットまたは第2のセットが構成されるとき、第1のセットまたは第2のセットに含まれる送信点とUEとの間に複数のリンクが確立される。第1のセットおよび第2のセットが構成されるとき、第1のセットは、少なくとも2つの送信点を含み、第2のセットは、第1のセットのサブセットである。このプロセスにおいて、第1のセットに含まれる送信点は、候補送信点であり、第2のセットに含まれる送信点は、ユーザとの複数のリンクを確立し、実際にデータをUEに送信する送信点である。リンクの中断およびサービスの中断の回数を低減するために、第2のセットに含まれる送信点の信号が弱くなったまたは中断されたとき、良質の送信点が、第1のセットから選択され、第2のセットに追加され、それにより、UDNネットワークにおけるUEの頻繁なハンドオーバの問題を解決する。
【図面の簡単な説明】
【０１１３】
【図１】本発明によるマルチリンク構成方法が適用可能であるUDNアーキテクチャの概略図である。
【図２】本発明によるマルチリンク構成方法の実施形態1のシグナリング図である。
【図３】本発明によるマルチリンク構成方法の実施形態2における、マクロ基地局が配置されている場合のマルチRRCリンクモードおよびシングルRRCリンクモードの概略図である。
【図４】本発明によるマルチリンク構成方法の実施形態3における、マクロ基地局が配置されていない場合のマルチRRCリンクモードおよびシングルRRCリンクモードの概略図である。
【図５】本発明によるマルチリンク構成方法の実施形態4における、第2のセットに含まれる送信点の準静的ハンドオーバの概略図である。
【図６】本発明によるマルチリンク構成方法の実施形態5の概略構成図である。
【図７】本発明による基地局の実施形態1の概略構成図である。
【図８】本発明によるユーザ機器の実施形態1の概略構成図である。
【図９】本発明による基地局の実施形態2の概略構成図である。
【図１０】本発明によるユーザ機器の実施形態2の概略構成図である。
【発明を実施するための形態】
【０１１４】
現在、UDNでは大量のスモールセルが配置され、スモールセルは、小さいカバレッジエリアを有する。したがって、ユーザ機器（User Equipment、UE）が低速または中速で移動する場合であっても、頻繁なハンドオーバが発生する。したがって、UDNの展開時、UDNネットワークにおけるUEの頻繁なハンドオーバの問題をどのように解決するかは、業界において解決されるべき緊急の問題である。
【０１１５】
そこで、本発明の実施形態は、ユーザ機器のために複数のリンクを構成することによってUDNネットワークにおけるUEの頻繁なハンドオーバの問題を解決するマルチリンク構成方法、基地局、およびユーザ機器を提供する。
【０１１６】
本明細書に記載されている技術は、様々な通信通信システム、例えば、現在の2Gおよび3Gの通信システムおよび次世代通信システム、例えば、グローバル・システム・フォー・モバイル・コミュニケーションズ（Global System for Mobile Communications、GSM（登録商標））、符号分割多元接続 （Code Division Multiple Access、CDMA）システム、時分割多元接続（Time Division Multiple Access、TDMA）システム、広帯域符号分割多元接続（Wideband Code Division Multiple Access Wireless、WCDMA（登録商標））システム、周波数分割多元接続（Frequency Division Multiple Addressing、FDMA）システム、直交周波数分割多元接続（Orthogonal Frequency-Division Multiple Access、OFDMA）システム、シングルキャリアFDMA（SC-FDMA）システム、汎用パケット無線サービス（General Packet Radio Service、GPRS）システム、ロングタームエボリューション（Long Term Evolution、LTE）システム、UDNシステム、E-UTRAシステム、およびこのタイプの別の通信システムなどに適用することができる。
【０１１７】
本願におけるユーザ機器は、ワイヤレス端末であってもよい。ワイヤレス端末は、ユーザに音声および／またはデータ接続を提供するデバイス、ワイヤレス接続機能を有するハンドヘルドデバイス、またはワイヤレスモデムに接続される別の処理デバイスであってもよい。ワイヤレス端末は、無線アクセスネットワーク（例えば、RAN、Radio Access Network）を使用して1つ以上のコアネットワークと通信することができる。ワイヤレス端末は、携帯電話（または「セルラー」電話と呼ばれる）などのモバイル端末およびモバイル端末を有するコンピュータであってもよく、例えば、音声および／またはデータを無線アクセスネットワークと交換するポータブル型の、ポケットサイズの、ハンドヘルド型の、コンピュータ内蔵型の、または車載型のモバイル装置であってもよい。例えば、ワイヤレス端末は、パーソナル通信サービス（Personal Communication Service、PCS）電話、コードレス電話機、セッション開始プロトコル（SIP）電話、ワイヤレスローカルループ（Wireless Local Loop、WLL）局、 またはパーソナルデジタルアシスタント（Personal Digital Assistant、PDA）などのデバイスであってもよい。ワイヤレス端末はまた、システム、加入者ユニット（Subscriber Unit）、加入者局（Subscriber Station）、移動局（Mobile Station）、モバイルコンソール（Mobile）、遠隔局（Remote Station）、遠隔端末（Remote Terminal）、アクセス端末（Access Terminal）、ユーザ端末（User Terminal）、ユーザエージェント（User Agent）、ユーザデバイス（User Device）、またはユーザ機器（User Equipment）であってもよい。
【０１１８】
本願におけるスモールセル、すなわち送信点は、アクセスネットワークにおいてエアインタフェースを介して1つ以上のセクタを使用してワイヤレス端末と通信するデバイスであってもよい。基地局は、ルータとして、受信さる無線フレームならびにIPパケットおよびサービスをワイヤレス端末とアクセスネットワークの残りの部分との間で相互に変換し、アクセスネットワークの残りの部分が、インターネットプロトコル（IP）ネットワークを含み得る、ように構成されてもよい。
【０１１９】
加えて、本発明は、低周波システムに限定されるものではなく、高周波ミリ波システムが使用されてもよい。したがって、関連する測定およびすべての関連する構成は、ビーム形成（beamforming）のために行われてもよい。言い換えれば、関連する測定およびすべての関連する構成は、ビームbeamに基づいて行われてもよい。
【０１２０】
明確にし、説明を簡単にするために、以下では、システムアーキテクチャが特にUDNシステムである状況が、本発明の技術的解決策を詳細に説明するために例として使用される。具体的には、図1を参照する。
【０１２１】
図1は、本発明によるマルチリンク構成方法が適用可能であるUDNアーキテクチャの概略図である。図1に示すように、このアーキテクチャは、マクロ基地局と、5つの送信点、すなわちスモールセル1〜5とを含む。スモールセル1、2、3、および5は、UDN内の隣接する3つのスモールセルであり、スモールセル4は、スモールセル1、2、3、および5に隣接しないスモールセルである。UEのために構成された第1のセットに含まれる送信点はスモールセル1、2、3、および5であると仮定する。第2のセットは第1のセットのサブセットであるため、第2のセットに含まれる送信点は、1および3または2および3などであり得る。
【０１２２】
セル仮想化技術では、UEの周りの複数の送信点が、ユーザにサービスを提供する仮想セルを構成することに留意されたい。仮想セルのリソース構成および設定は、ユーザの移動またはサービス要求などに基づいて動的に構成および変更することができ、送信ノードのハイバネーションおよび信号送信も調整することができる。これらの送信ノードのうちの1つの送信ノードが、プライマリ送信ノードとして選択される。
【０１２３】
以下、図1に基づいて本発明のマルチリンク構成方法を詳細に説明する。詳細は、図2を参照されたい。
【０１２４】
図2は、本発明によるマルチリンク構成方法の実施形態1のシグナリング図である。この実施形態では、基地局とユーザ機器との間のインタラクションは、マルチリンク構成が必要とされるシナリオに適用可能である。具体的には、この実施形態は、以下のステップを含む。
【０１２５】
101．ユーザ機器UEは、アップリンク情報を生成する。
【０１２６】
このステップにおいて、UEは、ダウンリンク信号またはアップリンク信号に基づいてアップリンク情報を生成する。例えば、UEは、以下の方法でアップリンク情報を生成することができる。
【０１２７】
方法1：アップリンク情報は、特に、第1の閾値または第2の閾値よりも大きいダウンリンク測定結果である。この場合、UEは、少なくとも1つのダウンリンク測定結果を取得するために少なくとも1つの送信点のダウンリンク信号に対してRRM測定などの測定を行い、少なくとも1つのダウンリンク測定結果から、第1の閾値または前記第2の閾値よりも大きいダウンリンク測定結果を決定し、第1の閾値または第2の閾値よりも大きいダウンリンク測定結果をアップリンク情報として使用する。
【０１２８】
方法2：アップリンク情報は、特に、第1の閾値または第2の閾値よりも大きいダウンリンク測定結果に対応する送信点識別子である。この場合、UEは、少なくとも1つのダウンリンク測定結果を取得するために少なくとも1つの送信点のダウンリンク信号を測定し、少なくとも1つのダウンリンク測定結果から、第1の閾値または第2の閾値よりも大きいダウンリンク測定結果に対応する送信点識別子を決定する。例えば、UEは、アップリンク情報を取得するために、第1の閾値または第2の閾値よりも大きいダウンリンク測定結果に対応する送信点識別子を昇順または降順にソートする。
【０１２９】
方法3：アップリンク情報は、特に、UEによって送信されるアップリンク信号であり、このアップリンク信号は、以下の信号のうちの少なくとも1つ、すなわち、アップリンクサウンディング信号、アップリンクサウンディング基準信号、アップリンクシーケンスコード、またはプリアンブルのうちの少なくとも1つである。
【０１３０】
この方法では、アップリンク情報は、アップリンクサウンディング信号、アップリンクシーケンスコード、またはプリアンブルなどの、UEによって送信される少なくとも1つのアップリンク信号である。
【０１３１】
102．ユーザ機器UEは、アップリンク情報を基地局に送信する。
【０１３２】
このステップでは、UEは、ステップ101のアップリンク情報を基地局に送信する。アップリンク情報が、上記の方法3で生成される場合、UEは、最初に、無線リソース制御RRCシグナリングを使用して基地局によって通知された、アップリンク信号のアップリンク送信サブフレームまたはアップリンク送信サブフレームセットを受信し、次に、アップリンク送信サブフレームまたはアップリンク送信サブフレームセットに含まれるサブフレームでアップリンク情報を基地局に送信する。このプロセスでは、アップリンク送信サブフレームまたはアップリンク送信サブフレームセットは、基地局間インタフェースを使用して基地局によって調整されるかまたは予め構成される。
【０１３３】
103．基地局は、アップリンク情報に基づいて、UEのために第1のセットおよび／または第2のセットを構成する。
【０１３４】
第1のセットまたは第2のセットが構成されるとき、第1のセットまたは第2のセットに含まれる送信点とUEとの間に複数のリンクが確立され、第1のセットおよび第2のセットが構成されるとき、第1のセットは、少なくとも2つの送信点を含み、第2のセットは、第1のセットのサブセットである。
【０１３５】
図1を参照すると、本発明のこの実施形態では、基地局は、例えばマクロ基地局macro eNB、またはマスタノードmaster node（図示せず）である。このステップでは、第1のセットの送信点は、測定された信号強度が第1の閾値以上である送信点であり、第2のセットの送信点は、測定された信号強度が第2の閾値以上である送信点であり、第2の閾値は、第1の閾値よりも大きい。第2のセットに含まれる各送信点は、第1のセットからアクティブ化または非アクティブ化することができる。UEが移動し、第2のセットに含まれる送信点が第2の閾値を満たさなくなったとき、例えば、第2のセット内の送信点の信号が弱くなったまたは中断されたとき、第2の閾値を満たす、第2のセット外かつ第1のセット内の送信点が、第2のセットに追加される。測定された信号強度は、無線リソース管理RRM測定によって取得され、以下のうちの少なくとも1つ、すなわち、基準信号受信電力RSRP（reference signal receiving power）、基準信号受信品質RSRQ（reference signal receiving quality）、受信信号強度インジケータRSSI（Received Signal Strength Indication）、または任意のbeamベースの測定パラメータのうちの少なくとも1つを含むことができる。
【０１３６】
本発明のこの実施形態で提供されるマルチリンク構成方法によれば、UEは、アップリンク情報を生成し、このアップリンク情報を基地局に送信する。基地局は、アップリンク情報に基づいてUEのために第1のセットおよび／または第2のセットを構成する。第1のセットまたは第2のセットが構成されるとき、第1のセットまたは第2のセットに含まれる送信点とUEとの間に複数のリンクが確立される。第1のセットおよび第2のセットが構成されるとき、第1のセットは、少なくとも2つの送信点を含み、第2のセットは、第1のセットのサブセットである。このプロセスにおいて、第1のセットに含まれる送信点は、候補送信点であり、第2のセットに含まれる送信点は、ユーザとの複数のリンクを確立し、実際にデータをUEに送信する送信点である。リンクの中断およびサービスの中断の回数を低減するために、第2のセットに含まれる送信点の信号が弱くなったまたは中断されたとき、良質の送信点が、第1のセットから選択され、第2のセットに追加され、それにより、UDNネットワークにおけるUEの頻繁なハンドオーバの問題を解決する。
【０１３７】
任意選択的に、上記の実施形態において、第1のセットに含まれる送信点は、第1のセルを構成し、第1のセルに含まれるプライマリ送信点は固定または可変である。第1のセルは、第1のクラスタ、第1の仮想セル、または第1のスーパーセルである。加えて、第1のクラスタは、対応するクラスタ識別子を有し、第1の仮想セルは、対応する仮想セル識別子を有し、第1のスーパーセルは、対応するスーパーセル識別子を有する。
【０１３８】
任意選択的に、上記の実施形態において、第2のセットに含まれる送信点は、第2のセルを構成し、第2のセルに含まれるプライマリ送信点は、UEの移動と共に変更される。第2のセルは、第2のクラスタ、第2の仮想セル、または第2のスーパーセルである。第2のクラスタは、対応するクラスタ識別子を有し、第2の仮想セルは、対応する仮想セル識別子を有し、第2のスーパーセルは、対応するスーパーセル識別子を有する。
【０１３９】
任意選択的に、上記の実施形態において、第2のセットは、マルチRRCリンクモードにあり、第2のセット内の少なくとも2つの送信点が、UEとのRRCリンクを確立するか、または、第2のセットは、シングルRRCリンクモードにあり、第2のセット内の1つの送信点が、UEとのRRCリンクを確立するか、または、第2のセットは、準静的モードにあり、第2のセット内の送信点は、準静的な方法で第1のセット内で変更される。具体的には、図3は、本発明によるマルチリンク構成方法の実施形態2における、マクロ基地局が配置されている場合のマルチRRCリンクモードおよびシングルRRCリンクモードの概略図である。
【０１４０】
図3を参照すると、マクロ基地局を含むオーバーレイ（overlay）シナリオにおいて、第2のセットに含まれる送信点が、スモールセルD、スモールセルE、およびスモールセルFであると仮定し、UEが、マルチRRCリンクモードで動作する場合、UEは、図中のマルチRRCリンクモードの実線の矢印で示すように（破線の矢印は、RRCリンクが確立されていないことを示す）、マクロ基地局および送信点のsmall cell DとのRRCリンクを保持することができる。第2のセットに含まれる送信点が、スモールセルA、スモールセルB、およびスモールセルCであると仮定し、UEが、シングルRRCリンクモードで動作する場合、UEは、マクロ基地局とのRRCリンクのみを保持する。同図に示すように、シングルRRCリンクモードでは、UEは、マクロ基地局とのRRCリンクを保持し、UEとスモールセルA、スモールセルB、およびスモールセルCの各々との間の、破線で示されているRRCリンクを保持しない。
【０１４１】
図4は、本発明によるマルチリンク構成方法の実施形態3における、マクロ基地局が配置されていない場合のマルチRRCリンクモードおよびシングルRRCリンクモードの概略図である。図4を参照すると、スタンドアロン（standalone）シナリオにおいて、第2のセットに含まれる送信点が、スモールセルD、スモールセルE、およびスモールセルFであると仮定し、UEが、マルチRRCリンクモードで動作する場合、UEは、図中のマルチRRCリンクモードの実線の矢印で示すように、送信点のsmall cell Dおよび送信点のsmall cell FとのRRCリンクを保持することができる。言い換えれば、UEと、第2の送信点セット内の送信点の一部または全部との間のRRCリンクを保持することができる。UEがシングルRRCリンクモードで動作し、第2のセットに含まれる送信点がスモールセルA、スモールセルB、およびスモールセルCであると仮定した場合、UEは、送信点のsmall cell AとのRRCリンクのみを保持する。言い換えれば、UEと第2のセット内の1つの送信点との間のRRCリンクが保持される。
【０１４２】
図3および図4では、マルチRRCリンクモードまたはシングルRRCリンクモードにかかわらず、送信点のエネルギーバランスを確保するために、送信要求を満たす送信点間で準静的変換を行うことができ、この場合、送信要求を満たすことは、測定された信号強度が所定の閾値以上であることを意味する。具体的には、図5を参照する。
【０１４３】
図5は、本発明によるマルチリンク構成方法の実施形態4における、第2のセットに含まれる送信点の準静的ハンドオーバの概略図である。図5を参照すると、時間、すなわちサブフレームが経過すると共に、第1の期間の、第2のセットに含まれる送信点を、スモールセルAおよびスモールセルBとすることができ、第2の期間の、第2のセットに含まれる送信点を、スモールセルBおよびスモールセルCに変更することができ、第3の期間の、第2のセットに含まれる送信点を、スモールセルCおよびスモールセルAに変更することができる。マルチRRCリンクモードでは、準静的に変換される送信点の少なくとも1つの送信点はUEとのリンクを維持する必要がある。
【０１４４】
任意選択的に、上記の実施形態において、すべての送信点のアップリンク情報を送信することによってUEにより発生する大量の情報および大量のリソースの占有という欠点を回避するために、基地局は、構成シグナリングを使用して第1の閾値をUEに予め送信し、これにより、UEは、第1の閾値を満たす送信点のアップリンク情報を基地局に送信する。
【０１４５】
任意選択的に、上記の実施形態において、基地局が、アップリンク情報に基づいてUEのために第1のセットおよび／または第2のセットを構成した後、基地局は、第1のセットおよび／または第2のセットの構成情報をUEまたは送信点に送信する。例えば、基地局は、無線リソース制御RRCシグナリングを使用して第1のセットおよび第2のセットに関する情報をUEに送信する。別の例では、基地局は、媒体アクセス制御MACシグナリングを使用して第2のセットのアクティブ化情報または非アクティブ化情報をUEに送信する。
【０１４６】
任意選択的に、上記の実施形態において、ユーザのために第1のセットおよび第2のセットを構成した後、基地局は、UEにマルチリンク協調を行うように命令するために、RRCシグナリングを使用してマルチリンク構成情報をUEに送信する。マルチリンク協調は、以下の協調のうちの少なくとも1つ、すなわち、電力協調、ランダムアクセス協調、および電力ヘッドルーム協調のうちの少なくとも1つを含む。
【０１４７】
任意選択的に、上記の実施形態において、複数のリンクのうちの非アクティブリンクがアクティブ化されたとき、基地局は、前にアクティブ化されたリンクの媒体アクセス制御MACシグナリングを使用して、現在アクティブ化されているリンクにアップリンク送信を行わせ、アップリンク送信は、以下の送信のうちの少なくとも1つ、すなわち、ランダムアクセス送信、スケジューリング要求送信、サウンディング基準信号送信、およびバッファ状態報告送信のうちの少なくとも1つを含む。
【０１４８】
任意選択的に、上記の実施形態において、基地局は、特にマクロ基地局macro eNB、またはマスタノードmaster nodeであり、送信点は、スモールセルである。
【０１４９】
図6は、本発明によるマルチリンク構成方法の実施形態5の概略構成図である。図6を参照すると、この実施形態では、マクロ基地局によってカバーされるエリアは、スモールセルAおよびスモールセルBを含む。スモールセルAおよびスモールセルBは、仮想セルを構成し、スモールセルAは、仮想セルのマスタノードまたはプライマリセルであり、スモールセルBは、仮想セルのセカンダリノードまたはセカンダリセルである。UEは、最初にスモールセルAに接続される。一実施形態では、UEがスモールセルBに徐々に接近するとき、UEは、接近に関する情報をマクロ基地局に報告することができる。次に、マクロ基地局は、マクロ基地局とスモールセルAとの間のX2インタフェースおよびマクロ基地局とスモールセルBとの間のX2インタフェースの調整を行い、UEを「MC」モードに設定することができると判断し、シグナリングを使用して「MC」モードについてUEに通知する。この場合、UEは、スモールセルAおよびスモールセルBとのリンクを確立する。仮想セル内のスモールセルのいくつかのシステム情報（例えば、仮想セルIDおよびシステム帯域幅）は、スモールセルAによって配信されてもよい。他のシステム情報およびUE固有の構成は、スモールセルBなどのセカンダリセルによって配信されてもよい。マクロ基地局は、RRCシグナリングを使用してマルチリンク構成情報をスモールセルA、スモールセルB、およびUEにさらに送信してもよい。次に、UEは、マルチリンク協調、例えば電力協調、ランダムアクセス協調、および電力ヘッドルーム協調を行う。
【０１５０】
別の実施形態では、UEは、接近に関する情報をスモールセルAに報告することができる。次に、スモールセルAは、スモールセルAとスモールセルBとの間のX2インタフェースの調整を行い、UEを「MC」モードに設定することができると判断し、シグナリングを使用して「MC」モードについてUEに通知する。この場合、UEは、スモールセルAおよびスモールセルBとのリンクを確立する。仮想セル内のスモールセルのいくつかのシステム情報（例えば、仮想セルIDおよびシステム帯域幅）は、スモールセルAによって配信されてもよい。他のシステム情報およびUE固有の構成は、スモールセルBなどのセカンダリセルによって配信されてもよい。スモールセルAは、RRCシグナリングを使用してマルチリンク構成情報をスモールセルBおよびUEにさらに送信してもよい。次に、UEは、マルチリンク協調、例えば電力協調、ランダムアクセス協調、および電力ヘッドルーム協調を行う。
【０１５１】
図7は、本発明による基地局の実施形態1の概略構成図である。この実施形態で提供される基地局は、本発明のいずれかの実施形態で提供される、基地局に適用される方法のステップを実施することができる。具体的には、この実施形態で提供される基地局は、
ユーザ機器UEによって送信されるアップリンク情報を受信するように構成されたトランシーバモジュール11と、
アップリンク情報に基づいてUEのために第1のセットおよび／または第2のセットを構成し、第1のセットまたは第2のセットが構成されるとき、第1のセットまたは第2のセットに含まれる送信点とUEとの間に複数のリンクを確立するように構成された処理モジュール12であって、第1のセットおよび第2のセットが構成されるとき、第1のセットが、少なくとも2つの送信点を含み、第2のセットが、第1のセットのサブセットである、処理モジュール12と
を含む。
【０１５２】
本発明のこの実施形態で提供される基地局は、UEによって生成され送信されるアップリンク情報を受信し、アップリンク情報に基づいてUEのために第1のセットおよび／または第2のセットを構成する。第1のセットまたは第2のセットが構成されるとき、第1のセットまたは第2のセットに含まれる送信点とUEとの間に複数のリンクが確立される。第1のセットおよび第2のセットが構成されるとき、第1のセットは、少なくとも2つの送信点を含み、第2のセットは、第1のセットのサブセットである。このプロセスにおいて、第1のセットに含まれる送信点は、候補送信点であり、第2のセットに含まれる送信点は、ユーザとの複数のリンクを確立し、実際にデータをUEに送信する送信点である。リンクの中断およびサービスの中断の回数を低減するために、第2のセットに含まれる送信点の信号が弱くなったまたは中断されたとき、良質の送信点が、第1のセットから選択され、第2のセットに追加され、それにより、UDNネットワークにおけるUEの頻繁なハンドオーバの問題を解決する。
【０１５３】
任意選択的に、本発明の一実施形態では、第1のセットの送信点は、測定された信号強度が第1の閾値以上である送信点であり、第2のセットの送信点は、測定された信号強度が第2の閾値以上である送信点であり、第2の閾値は、第1の閾値よりも大きい。
【０１５４】
任意選択的に、本発明の一実施形態では、第2のセットに含まれる各送信点は、第1のセットからアクティブ化または非アクティブ化することができる。
【０１５５】
任意選択的に、本発明の一実施形態では、処理モジュール12は、第2のセットに含まれる送信点が第2の閾値を満たさなくなったとき、第2の閾値を満たす、第2のセット外かつ第1のセット内の送信点を第2のセットに追加するようにさらに構成される。
【０１５６】
任意選択的に、本発明の一実施形態では、アップリンク情報は、少なくとも1つのダウンリンク測定結果のうちの、第1の閾値または第2の閾値よりも大きいダウンリンク測定結果であり、少なくとも1つのダウンリンク測定結果は、少なくとも1つの送信点のダウンリンク信号を測定することによってUEにより取得される。
【０１５７】
任意選択的に、本発明の一実施形態では、少なくとも1つのダウンリンク測定結果は、少なくとも1つの送信点のダウンリンク信号のRRM測定を行うことによってUEにより取得される。
【０１５８】
任意選択的に、本発明の一実施形態では、アップリンク情報は、少なくとも1つの送信点識別子であり、少なくとも1つの送信点識別子は、少なくとも1つの送信点のダウンリンク信号を測定することによってUEにより取得される少なくとも1つのダウンリンク測定結果のうちの、第1の閾値または第2の閾値よりも大きいダウンリンク測定結果に対応する送信点識別子である。
【０１５９】
任意選択的に、本発明の一実施形態では、アップリンク情報は、第2の予め設定された閾値よりも大きい送信点識別子を昇順または降順にソートすることによってUEにより取得される。
【０１６０】
任意選択的に、本発明の一実施形態では、アップリンク情報は、特に、UEによって送信されるアップリンク信号であり、このアップリンク信号は、以下の信号のうちの少なくとも1つ、すなわち、アップリンクサウンディング信号、アップリンクサウンディング基準信号、アップリンクシーケンスコード、またはプリアンブルのうちの少なくとも1つである。
【０１６１】
任意選択的に、本発明の一実施形態では、ユーザ機器UEによって送信されるアップリンク情報を受信する前に、トランシーバモジュール11は、無線リソース制御RRCシグナリングを使用してアップリンク信号のアップリンク送信サブフレームまたはアップリンク送信サブフレームセットを通知するようにさらに構成される。
【０１６２】
任意選択的に、本発明の一実施形態では、RRCシグナリングを使用してアップリンク信号のアップリンク送信サブフレームまたはアップリンク送信サブフレームセットを通知する前に、トランシーバモジュール11は、基地局間インタフェースを使用してアップリンク送信サブフレームまたはアップリンク送信サブフレームセットを調整するまたは予め構成するようにさらに構成される。
【０１６３】
任意選択的に、本発明の一実施形態では、第1のセットに含まれる送信点は、第1のセルを構成し、第1のセルは、第1のクラスタ、第1の仮想セル、または第1のスーパーセルである。
【０１６４】
任意選択的に、本発明の一実施形態では、第1のセルに含まれるプライマリ送信点は固定または可変である。
【０１６５】
任意選択的に、本発明の一実施形態では、第1のセルは、対応するセル識別子を有し、第1のセルが第1のクラスタ、第1の仮想セル、または第1のスーパーセルである場合、第1のセルに対応するセル識別子は、クラスタ識別子、仮想セル識別子、またはスーパーセル識別子である。
【０１６６】
任意選択的に、本発明の一実施形態では、第2のセットに含まれる送信点は、第2のセルを構成し、第2のセルは、第2のクラスタ、第2の仮想セル、または第2のスーパーセルである。
【０１６７】
任意選択的に、本発明の一実施形態では、第2のセルに含まれるプライマリ送信点は、UEの移動と共に変更される。
【０１６８】
任意選択的に、本発明の一実施形態では、第2のセルは、対応するセル識別子を有し、第2のセルが第2のクラスタ、第2の仮想セル、または第2のスーパーセルである場合、第2のセルに対応するセル識別子は、クラスタ識別子、仮想セル識別子、またはスーパーセル識別子である。
【０１６９】
任意選択的に、本発明の一実施形態では、第2のセットは、マルチRRCリンクモードにあり、第2のセット内の少なくとも2つの送信点が、UEとのRRCリンクを確立するか、または、第2のセットは、シングルRRCリンクモードにあり、第2のセット内の1つの送信点が、UEとのRRCリンクを確立するか、または、第2のセットは、準静的モードにあり、第2のセット内の送信点は、準静的な方法で第1のセット内で変更される。
【０１７０】
任意選択的に、本発明の一実施形態では、ユーザ機器UEによって送信されるアップリンク情報を受信する前に、トランシーバモジュール11は、構成シグナリングを使用して第1の閾値または第2の閾値をUEに送信するようにさらに構成される。
【０１７１】
任意選択的に、本発明の一実施形態では、トランシーバモジュール11は、ユーザ機器UEによって送信される、第1の閾値または第2の閾値を満たす送信点のアップリンク情報を受信するように特に構成される。
【０１７２】
任意選択的に、本発明の一実施形態では、処理モジュール12がアップリンク情報に基づいてUEのために第1のセットおよび／または第2のセットを構成した後に、トランシーバモジュール11は、無線リソース制御RRCシグナリングを使用して第1のセットおよび／もしくは第2のセットに関する情報をUEに送信し、ならびに／または媒体アクセス制御MACシグナリングを使用して第2のセットのアクティブ化もしくは非アクティブ化情報をUEに送信するようにさらに構成される。
【０１７３】
任意選択的に、本発明の一実施形態では、トランシーバモジュール11は、UEにマルチリンク協調を行うように命令するために、RRCシグナリングを使用してマルチリンク構成情報をUEに送信するようにさらに構成される。
【０１７４】
任意選択的に、本発明の一実施形態では、マルチリンク協調は、以下の協調のうちの少なくとも1つ、すなわち、電力協調、ランダムアクセス協調、および電力ヘッドルーム協調のうちの少なくとも1つを含む。
【０１７５】
任意選択的に、本発明の一実施形態では、処理モジュール12は、複数のリンクのうちの非アクティブリンクがアクティブ化されたときに、前にアクティブ化されたリンクの媒体アクセス制御MACシグナリングを使用して、現在アクティブ化されているリンクにアップリンク送信を行わせ、アップリンク送信が、以下の送信のうちの少なくとも1つ、すなわち、ランダムアクセス送信、スケジューリング要求送信、サウンディング基準信号送信、およびバッファ状態報告送信のうちの少なくとも1つを含む、ようにさらに構成される。
【０１７６】
任意選択的に、本発明の一実施形態では、基地局は、特にマクロ基地局macro eNB、またはマスタノードmaster nodeであり、送信点は、スモールセルである。
【０１７７】
図8は、本発明によるユーザ機器の実施形態1の概略構成図である。この実施形態で提供されるユーザ機器は、本発明のいずれかの実施形態で提供される、ユーザ機器に適用される方法のステップを実施することができる。具体的には、この実施形態で提供されるユーザ機器は、
アップリンク情報を生成するように構成された処理モジュール21と、
アップリンク情報を基地局に送信するように構成されたトランシーバモジュール22であって、これにより、基地局が、アップリンク情報に基づいてUEのために第1のセットおよび／または第2のセットを構成し、第1のセットまたは第2のセットが構成されるとき、第1のセットまたは第2のセットに含まれる送信点とUEとの間に複数のリンクを確立し、第1のセットおよび第2のセットが構成されるとき、第1のセットが、少なくとも2つの送信点を含み、第2のセットが、第1のセットのサブセットである、トランシーバモジュール22と
を含む。
【０１７８】
本発明のこの実施形態で提供されるUEは、アップリンク情報を生成し、このアップリンク情報を基地局に送信する。基地局は、アップリンク情報に基づいてUEのために第1のセットおよび／または第2のセットを構成する。第1のセットまたは第2のセットが構成されるとき、第1のセットまたは第2のセットに含まれる送信点とUEとの間に複数のリンクが確立される。第1のセットおよび第2のセットが構成されるとき、第1のセットは、少なくとも2つの送信点を含み、第2のセットは、第1のセットのサブセットである。このプロセスにおいて、第1のセットに含まれる送信点は、候補送信点であり、第2のセットに含まれる送信点は、ユーザとの複数のリンクを確立し、実際にデータをUEに送信する送信点である。リンクの中断およびサービスの中断の回数を低減するために、第2のセットに含まれる送信点の信号が弱くなったまたは中断されたとき、良質の送信点が、第1のセットから選択され、第2のセットに追加され、それにより、UDNネットワークにおけるUEの頻繁なハンドオーバの問題を解決する。
【０１７９】
任意選択的に、本発明の一実施形態では、第1のセットの送信点は、測定された信号強度が第1の閾値以上である送信点であり、第2のセットの送信点は、測定された信号強度が第2の閾値以上である送信点であり、第2の閾値は、第1の閾値よりも大きい。
【０１８０】
任意選択的に、本発明の一実施形態では、第2のセットに含まれる各送信点は、第1のセットからアクティブ化または非アクティブ化することができる。
【０１８１】
任意選択的に、本発明の一実施形態では、第2のセットに含まれる送信点が第2の閾値を満たさなくなったとき、第2の閾値を満たす、第2のセット外かつ第1のセット内の送信点が、第2のセットに追加される。
【０１８２】
任意選択的に、本発明の一実施形態では、アップリンク情報は、第1の閾値または第2の閾値よりも大きいダウンリンク測定結果を含み、
処理モジュール21は、少なくとも1つのダウンリンク測定結果を取得するために少なくとも1つの送信点のダウンリンク信号を測定し、少なくとも1つのダウンリンク測定結果から、第1の閾値または第2の閾値よりも大きいダウンリンク測定結果を決定するように構成される。
【０１８３】
任意選択的に、本発明の一実施形態では、処理モジュール21は、少なくとも1つのダウンリンク測定結果を取得するために、少なくとも1つの送信点のダウンリンク基準情報に関してRRM測定を行うように特に構成される。
【０１８４】
任意選択的に、本発明の一実施形態では、アップリンク情報は、第1の閾値または第2の閾値よりも大きいダウンリンク測定結果に対応する送信点識別子を含み、
処理モジュール21は、少なくとも1つのダウンリンク測定結果を取得するために少なくとも1つの送信点のダウンリンク信号を測定し、少なくとも1つのダウンリンク測定結果から、第1の閾値または第2の閾値よりも大きいダウンリンク測定結果に対応する送信点識別子を決定するように特に構成される。
【０１８５】
任意選択的に、本発明の一実施形態では、処理モジュール21は、アップリンク情報を取得するために、第1の閾値または第2の閾値よりも大きいダウンリンク測定結果に対応する送信点識別子を昇順または降順にソートするようにさらに構成される。
【０１８６】
任意選択的に、本発明の一実施形態では、アップリンク情報は、特に、UEによって送信されるアップリンク信号であり、このアップリンク信号は、以下の信号のうちの少なくとも1つ、すなわち、アップリンクサウンディング信号、アップリンクサウンディング基準信号、アップリンクシーケンスコード、またはプリアンブルのうちの少なくとも1つである。
【０１８７】
任意選択的に、本発明の一実施形態では、アップリンク情報を基地局に送信する前に、トランシーバモジュール22は、無線リソース制御RRCシグナリングを使用して基地局によって通知される、アップリンク信号のアップリンク送信サブフレームまたはアップリンク送信サブフレームセットを受信するようにさらに構成される。
【０１８８】
任意選択的に、本発明の一実施形態では、アップリンク送信サブフレームまたはアップリンク送信サブフレームセットは、基地局間インタフェースを使用して基地局によって調整されるかまたは予め構成される。
【０１８９】
任意選択的に、本発明の一実施形態では、第1のセットに含まれる送信点のカバレッジエリアは、第1のセルを構成し、第1のセルは、第1のクラスタ、第1の仮想セル、または第1のスーパーセルである。
【０１９０】
任意選択的に、本発明の一実施形態では、第1のセルに含まれるプライマリ送信点は固定または可変である。
【０１９１】
任意選択的に、本発明の一実施形態では、第1のセルは、対応するセル識別子を有し、第1のセルが第1のクラスタ、第1の仮想セル、または第1のスーパーセルである場合、第1のセルに対応するセル識別子は、クラスタ識別子、仮想セル識別子、またはスーパーセル識別子である。
【０１９２】
任意選択的に、本発明の一実施形態では、第2のセットに含まれる送信点のカバレッジエリアは、第2のセルを構成し、第2のセルは、第2のクラスタ、第2の仮想セル、または第2のスーパーセルである。
【０１９３】
任意選択的に、本発明の一実施形態では、第2のセルに含まれるプライマリ送信点は、UEの移動と共に変更される。
【０１９４】
任意選択的に、本発明の一実施形態では、第2のセルは、対応するセル識別子を有し、第2のセルが第2のクラスタ、第2の仮想セル、または第2のスーパーセルである場合、第2のセルに対応するセル識別子は、クラスタ識別子、仮想セル識別子、またはスーパーセル識別子である。
【０１９５】
任意選択的に、本発明の一実施形態では、第2のセットは、マルチRRCリンクモードにあり、第2のセット内の少なくとも2つの送信点が、UEとのRRCリンクを確立するか、または
第2のセットは、シングルRRCリンクモードにあり、第2のセット内の1つの送信点が、UEとのRRCリンクを確立するか、または
第2のセットは、準静的モードにあり、第2のセット内の送信点は、準静的な方法で第1のセット内で変更される。
【０１９６】
任意選択的に、本発明の一実施形態では、アップリンク情報を基地局に送信する前に、トランシーバモジュール22は、構成シグナリングを使用して基地局によって送信される第1の閾値または第2の閾値を受信するようにさらに構成される。
【０１９７】
任意選択的に、本発明の一実施形態では、トランシーバモジュール22は、第1の閾値または第2の閾値を満たす送信点のアップリンク情報を基地局に送信するように特に構成される。
【０１９８】
任意選択的に、本発明の一実施形態では、アップリンク情報を基地局に送信した後に、トランシーバモジュール22は、無線リソース制御RRCシグナリングを使用して基地局によって送信される、第1のセットおよび／もしくは第2のセットに関する情報を受信し、ならびに／または媒体アクセス制御MACシグナリングを使用して基地局によってUEに送信される、第2のセットのアクティブ化もしくは非アクティブ化情報を受信するようにさらに構成される。
【０１９９】
任意選択的に、本発明の一実施形態では、トランシーバモジュール22は、マルチリンク協調を行うために、RRCシグナリングを使用して基地局によって送信されるマルチリンク構成情報を受信するようにさらに構成される。
【０２００】
任意選択的に、本発明の一実施形態では、マルチリンク協調は、以下の協調のうちの少なくとも1つ、すなわち、電力協調、ランダムアクセス協調、および電力ヘッドルーム協調のうちの少なくとも1つを含む。
【０２０１】
図9は、本発明による基地局の実施形態2の概略構成図である。この実施形態で提供される基地局300は、プロセッサ31と、メモリ32と、通信インタフェース33と、システムバス34とを含み、メモリ32と、通信インタフェース33と、プロセッサ31とは、システムバス34を使用して互いに接続され相互通信を実施し、メモリ32は、コンピュータ実行命令を格納するように構成され、通信インタフェース33は、別のデバイスと通信するように構成され、プロセッサ31は、コンピュータ実行命令を実行するように構成され、これにより、基地局300は、基地局に適用される方法のステップを実行する。
【０２０２】
図10は、本発明によるユーザ機器の実施形態2の概略構成図である。この実施形態で提供されるユーザ機器400は、プロセッサ41と、メモリ42と、通信インタフェース43と、システムバス44とを含み、メモリ42と、通信インタフェース43と、プロセッサ41とは、システムバス44を使用して互いに接続され相互通信を実施し、メモリ42は、コンピュータ実行命令を格納するように構成され、通信インタフェース43は、別のデバイスと通信するように構成され、プロセッサ41は、コンピュータ実行命令を実行するように構成され、これにより、ユーザ機器400は、ユーザ機器に適用される方法のステップを実行する。
【０２０３】
図9および図10において、システムバスは、ペリフェラルコンポーネントインターコネクト（peripheral component interconnect、PCI）バスまたは拡張業界標準アーキテクチャ（extended industry standard architecture、EISA）バスなどであってもよい。システムバスは、アドレスバス、データバス、および制御バスなどに分類することができる。表示を容易にするために、バスは、図では1本の太線のみを使用して示されている。しかしながら、これは、1つのバスしかないことまたは1つのタイプのバスしかないことを示していない。通信インタフェースは、データベースアクセス装置と別のデバイス（クライアント、読み出し／書き込みライブラリ、および読み出し専用ライブラリなど）との間の通信を実施するように構成される。メモリは、ランダムアクセスメモリ（random access memory、RAM）を含んでもよく、また不揮発性メモリ（non-volatile memory）（例えば、少なくとも1つの磁気ディスク記憶装置）をさらに含んでもよい。
【０２０４】
プロセッサは、中央処理装置（Central Processing Unit、CPU）およびネットワークプロセッサ（Network Processor、NP）などを含む汎用プロセッサであってもよいし、デジタル信号プロセッサ（Digital Signal Processing、DSP）、特定用途向け集積回路（Application-Specific Integrated Circuit、ASIC）、フィールド・プログラマブル・ゲート・アレイ（Field-Programmable Gate Array、FPGA）、別のプログラマブル論理デバイス、ディスクリートゲート、トランジスタ論理デバイス、またはディスクリートハードウェアコンポーネントであってもよい。
【０２０５】
当業者であれば、方法の実施形態のステップの全部または一部が、関連するハードウェアに命令するプログラムによって実施され得ることを理解することができる。プログラムは、コンピュータ可読記憶媒体に格納されてもよい。プログラムが実行されると、方法の実施形態のステップが実行される。上記の記憶媒体は、ROM、RAM、磁気ディスク、または光ディスクなど、プログラムコードを格納することができる任意の媒体を含む。
【０２０６】
最後に、上記の実施形態は、本発明の技術的解決策を説明するためのものに過ぎず、本発明を限定するためのものではないことに留意されたい。本発明は、上記の実施形態を参照して詳細に説明されているが、当業者であれば、本発明の実施形態の技術的解決策の範囲から逸脱することなく、上記の実施形態に関して説明した技術的解決策をさらに修正することができる、またはその技術的特徴の一部もしくは全部の同等の交換を行うことができることを理解するはずである。
【符号の説明】
【０２０７】
1，2，3，4，5  スモールセル
11  トランシーバモジュール
12  処理モジュール
21  処理モジュール
22  トランシーバモジュール
31  プロセッサ
32  メモリ
33  通信インタフェース
34  システムバス
41  プロセッサ
42  メモリ
43  通信インタフェース
44  システムバス
300  基地局
400  ユーザ機器
A，B，C，D，E，F  スモールセル
【図１】
2019524022.tif 000003
【図２】
2019524022.tif 000004
【図３】
2019524022.tif 000005
【図４】
2019524022.tif 000006
【図５】
2019524022.tif 000007
【図６】
2019524022.tif 000008
【図７】
2019524022.tif 000009
【図８】
2019524022.tif 000010
【図９】
2019524022.tif 000011
【図１０】
2019524022.tif 000012
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
マルチリンク構成方法であって、
基地局により、ユーザ機器（UE）によって送信されたアップリンク情報を受信するステップと、
前記基地局により、前記アップリンク情報に基づいて前記UEのために第1のセットおよび／または第2のセットを構成するステップと、
前記第1のセットまたは前記第2のセットが構成されるときに、前記第1のセットまたは前記第2のセットに含まれる送信点と前記UEとの間に複数のリンクを確立するステップと
を含み、
前記第1のセットおよび前記第2のセットが構成されるとき、前記第1のセットが、少なくとも2つの送信点を含み、前記第2のセットが、前記第1のセットのサブセットである、方法。
【請求項２】
前記第1のセットの送信点が、測定された信号強度が第1の閾値以上である送信点であり、前記第2のセットの送信点が、測定された信号強度が第2の閾値以上である送信点であり、前記第2の閾値が、前記第1の閾値よりも大きく、
前記第2のセットに含まれる各送信点を、前記第1のセットからアクティブ化または非アクティブ化することができ、
前記第2のセットに含まれる前記送信点が前記第2の閾値を満たさなくなったときに、前記第2の閾値を満たす、前記第2のセット外かつ前記第1のセット内の送信点が、前記第2のセットに追加される、請求項1に記載の方法。
【請求項３】
前記アップリンク情報が、少なくとも1つのダウンリンク測定結果のうちの、前記第1の閾値または前記第2の閾値よりも大きいダウンリンク測定結果であり、前記少なくとも1つのダウンリンク測定結果が、少なくとも1つの送信点のダウンリンク信号を測定することによって前記UEにより取得され、
前記少なくとも1つのダウンリンク測定結果が、前記少なくとも1つの送信点の前記ダウンリンク信号のRRM測定を行うことによって前記UEにより取得される、請求項1または2に記載の方法。
【請求項４】
前記アップリンク情報が、少なくとも1つの送信点識別子であり、前記少なくとも1つの送信点識別子が、少なくとも1つの送信点のダウンリンク信号を測定することによって前記UEにより取得される少なくとも1つのダウンリンク測定結果のうちの、前記第1の閾値または前記第2の閾値よりも大きいダウンリンク測定結果に対応する送信点識別子であり、
前記アップリンク情報が、第2の予め設定された閾値よりも大きい送信点識別子を昇順または降順にソートすることによって前記UEにより取得される、請求項1から3のいずれか一項に記載の方法。
【請求項５】
前記アップリンク情報が、特に、前記UEによって送信されるアップリンク信号であり、前記アップリンク信号が、以下の信号のうちの少なくとも1つ、すなわち、アップリンクサウンディング信号、アップリンクサウンディング基準信号、アップリンクシーケンスコード、またはプリアンブルのうちの少なくとも1つであり、
基地局により、ユーザ機器（UE）によって送信されたアップリンク情報を受信する前記ステップの前に、前記方法が、
前記基地局により、無線リソース制御（RRC）シグナリングを使用して前記アップリンク信号のアップリンク送信サブフレームまたはアップリンク送信サブフレームセットを通知するステップ
をさらに含み、
前記基地局により、無線リソース制御（RRC）シグナリングを使用して前記アップリンク信号のアップリンク送信サブフレームまたはアップリンク送信サブフレームセットを通知する前記ステップの前に、前記方法が、
前記基地局により、基地局間インタフェースを使用して前記アップリンク送信サブフレームまたは前記アップリンク送信サブフレームセットを調整するかまたは予め構成するステップ
をさらに含む、請求項1から3のいずれか一項に記載の方法。
【請求項６】
前記第1のセットに含まれる前記送信点が、第1のセルを構成し、前記第1のセルが、第1のクラスタ、第1の仮想セル、または第1のスーパーセルであり、
前記第1のセルに含まれるプライマリ送信点が固定または可変であり、
前記第1のセルが、対応するセル識別子を有し、前記第1のセルが前記第1のクラスタ、前記第1の仮想セル、または前記第1のスーパーセルである場合、前記第1のセルに対応する前記セル識別子が、クラスタ識別子、仮想セル識別子、またはスーパーセル識別子である、請求項1から5のいずれか一項に記載の方法。
【請求項７】
前記第2のセットに含まれる前記送信点が、第2のセルを構成し、前記第2のセルが、第2のクラスタ、第2の仮想セル、または第2のスーパーセルであり、
前記第2のセルに含まれるプライマリ送信点が、前記UEの移動と共に変更され、
前記第2のセルが、対応するセル識別子を有し、前記第2のセルが前記第2のクラスタ、前記第2の仮想セル、または前記第2のスーパーセルである場合、前記第2のセルに対応する前記セル識別子が、クラスタ識別子、仮想セル識別子、またはスーパーセル識別子である、請求項1から6のいずれか一項に記載の方法。
【請求項８】
前記第2のセットが、マルチRRCリンクモードにあり、前記第2のセット内の少なくとも2つの送信点が、前記UEとのRRCリンクを確立するか、または
前記第2のセットが、シングルRRCリンクモードにあり、前記第2のセット内の1つの送信点が、前記UEとのRRCリンクを確立するか、または
前記第2のセットが、準静的モードにあり、前記第2のセット内の前記送信点が、準静的な方法で前記第1のセット内で変更され、
基地局により、ユーザ機器（UE）によって送信されたアップリンク情報を受信する前記ステップの前に、前記方法が、
前記基地局により、構成シグナリングを使用して前記第1の閾値または前記第2の閾値を前記UEに送信するステップ
をさらに含み、
基地局により、ユーザ機器（UE）によって送信されたアップリンク情報を受信する前記ステップが、
前記基地局により、前記UEによって送信された、前記第1の閾値または前記第2の閾値を満たす送信点のアップリンク情報を受信するステップ
を含む、請求項1から7のいずれか一項に記載の方法。
【請求項９】
前記基地局により、前記アップリンク情報に基づいて前記UEのために第1のセットおよび／または第2のセットを構成する前記ステップの後に、前記方法が、
前記基地局により、無線リソース制御（RRC）シグナリングを使用して前記第1のセットおよび／もしくは前記第2のセットに関する情報を前記UEに送信するステップ、ならびに／または
前記基地局により、媒体アクセス制御（MAC）シグナリングを使用して前記第2のセットのアクティブ化もしくは非アクティブ化情報を前記UEに送信するステップ
をさらに含み、
前記方法が、
前記UEにマルチリンク協調を行うように命令するために、前記基地局により、無線リソース制御（RRC）シグナリングを使用してマルチリンク構成情報を前記UEに送信するステップ
をさらに含み、
前記マルチリンク協調が、以下の協調のうちの少なくとも1つ、すなわち、電力協調、ランダムアクセス協調、および電力ヘッドルーム協調のうちの少なくとも1つを含み、
前記方法が、
前記複数のリンクのうちの非アクティブリンクがアクティブ化されたときに、前記基地局により、前にアクティブ化されたリンクの媒体アクセス制御（MAC）シグナリングを使用して、現在アクティブ化されたリンクにアップリンク送信を行わせるステップであって、前記アップリンク送信が、以下の送信のうちの少なくとも1つ、すなわち、ランダムアクセス送信、スケジューリング要求送信、サウンディング基準信号送信、およびバッファ状態報告送信のうちの少なくとも1つを含む、ステップ
をさらに含み、
前記基地局が、特に、マクロ基地局またはマスタノードであり、前記送信点が、スモールセルである、請求項1から8のいずれか一項に記載の方法。
【請求項１０】
マルチリンク構成方法であって、
ユーザ機器（UE）により、アップリンク情報を生成するステップと、
前記UEにより、前記アップリンク情報を基地局に送信するステップであって、これにより、前記基地局が、前記アップリンク情報に基づいて前記UEのために第1のセットおよび／または第2のセットを構成する、ステップと、
前記第1のセットまたは前記第2のセットが構成されるときに、前記第1のセットまたは前記第2のセットに含まれる送信点と前記UEとの間に複数のリンクを確立するステップと
を含み、
前記第1のセットおよび前記第2のセットが構成されるとき、前記第1のセットが、少なくとも2つの送信点を含み、前記第2のセットが、前記第1のセットのサブセットであり、
前記第1のセットの送信点が、測定された信号強度が第1の閾値以上である送信点であり、前記第2のセットの送信点が、測定された信号強度が第2の閾値以上である送信点であり、前記第2の閾値が、前記第1の閾値よりも大きく、
前記第2のセットに含まれる各送信点を、前記第1のセットからアクティブ化または非アクティブ化することができ、
前記第2のセットに含まれる前記送信点が前記第2の閾値を満たさなくなったときに、前記第2の閾値を満たす、前記第2のセット外かつ前記第1のセット内の送信点が、前記第2のセットに追加される、方法。
【請求項１１】
前記アップリンク情報が、前記第1の閾値または前記第2の閾値よりも大きいダウンリンク測定結果を含み、
ユーザ機器（UE）により、アップリンク情報を生成する前記ステップが、
前記UEにより、少なくとも1つの送信点のダウンリンク信号を測定して、少なくとも1つのダウンリンク測定結果を取得するステップと、
前記UEにより、前記少なくとも1つのダウンリンク測定結果から、前記第1の閾値または前記第2の閾値よりも大きいダウンリンク測定結果を決定するステップと
を含み、
前記UEにより、少なくとも1つの送信点のダウンリンク信号を測定して、少なくとも1つのダウンリンク測定結果を取得する前記ステップが、
前記UEにより、前記少なくとも1つの送信点の前記ダウンリンク信号のRRM測定を行って、前記少なくとも1つのダウンリンク測定結果を取得するステップ
を含む、請求項10に記載の方法。
【請求項１２】
前記アップリンク情報が、前記第1の閾値または前記第2の閾値よりも大きいダウンリンク測定結果に対応する送信点識別子を含み、
ユーザ機器（UE）により、アップリンク情報を生成する前記ステップが、
前記UEにより、少なくとも1つの送信点のダウンリンク信号を測定して、少なくとも1つのダウンリンク測定結果を取得するステップと、
前記UEにより、前記少なくとも1つのダウンリンク測定結果から、前記第1の閾値または前記第2の閾値よりも大きいダウンリンク測定結果に対応する前記送信点識別子を決定するステップと
を含み、
前記アップリンク情報が、前記第1の閾値または前記第2の閾値よりも大きいダウンリンク測定結果に対応する前記送信点識別子を昇順または降順にソートすることによって前記UEにより取得され、
前記アップリンク情報が、特に、前記UEによって送信されるアップリンク信号であり、前記アップリンク信号が、以下の信号のうちの少なくとも1つ、すなわち、アップリンクサウンディング信号、アップリンクサウンディング基準信号、アップリンクシーケンスコード、またはプリアンブルのうちの少なくとも1つであり、
前記UEにより、前記アップリンク情報を基地局に送信する前記ステップの前に、前記方法が、
前記UEにより、無線リソース制御（RRC）シグナリングを使用して前記基地局によって通知された、前記アップリンク信号のアップリンク送信サブフレームまたはアップリンク送信サブフレームセットを受信するステップ
をさらに含み、
前記アップリンク送信サブフレームまたは前記アップリンク送信サブフレームセットが、基地局間インタフェースを使用して前記基地局によって調整されるかまたは予め構成される、請求項11に記載の方法。
【請求項１３】
前記第1のセットに含まれる前記送信点のカバレッジエリアが、第1のセルを構成し、前記第1のセルが、第1のクラスタ、第1の仮想セル、または第1のスーパーセルであり、
前記第1のセルに含まれるプライマリ送信点が固定または可変であり、
前記第1のセルが、対応するセル識別子を有し、前記第1のセルが前記第1のクラスタ、前記第1の仮想セル、または前記第1のスーパーセルである場合、前記第1のセルに対応する前記セル識別子が、クラスタ識別子、仮想セル識別子、またはスーパーセル識別子であり、
前記第2のセットに含まれる前記送信点のカバレッジエリアが、第2のセルを構成し、前記第2のセルが、第2のクラスタ、第2の仮想セル、または第2のスーパーセルであり、
前記第2のセルに含まれるプライマリ送信点が、前記UEの移動と共に変更され、
前記第2のセルが、対応するセル識別子を有し、前記第2のセルが前記第2のクラスタ、前記第2の仮想セル、または前記第2のスーパーセルである場合、前記第2のセルに対応する前記セル識別子が、クラスタ識別子、仮想セル識別子、またはスーパーセル識別子である、請求項10から12のいずれか一項に記載の方法。
【請求項１４】
前記第2のセットが、マルチRRCリンクモードにあり、前記第2のセット内の少なくとも2つの送信点が、前記UEとのRRCリンクを確立するか、または
前記第2のセットが、シングルRRCリンクモードにあり、前記第2のセット内の1つの送信点が、前記UEとのRRCリンクを確立するか、または
前記第2のセットが、準静的モードにあり、前記第2のセット内の前記送信点が、準静的な方法で前記第1のセット内で変更され、
前記UEにより、前記アップリンク情報を基地局に送信する前記ステップの前に、前記方法が、
前記UEにより、構成シグナリングを使用して前記基地局によって送信された前記第1の閾値または前記第2の閾値を受信するステップ
をさらに含み、
前記UEにより、前記アップリンク情報を基地局に送信する前記ステップが、
前記UEにより、前記第1の閾値または前記第2の閾値を満たす送信点のアップリンク情報を前記基地局に送信するステップ
を含む、請求項10から13のいずれか一項に記載の方法。
【請求項１５】
前記UEにより、前記アップリンク情報を基地局に送信する前記ステップの後に、前記方法が、
前記UEにより、無線リソース制御（RRC）シグナリングを使用して前記基地局によって送信された、前記第1のセットおよび／もしくは前記第2のセットに関する情報を受信するステップ、ならびに／または
前記UEにより、媒体アクセス制御（MAC）シグナリングを使用して前記基地局によって前記UEに送信された、前記第2のセットのアクティブ化または非アクティブ化情報を受信するステップ
をさらに含み、
前記方法が、
マルチリンク協調を行うために、前記UEにより、無線リソース制御（RRC）シグナリングを使用して前記基地局によって送信されたマルチリンク構成情報を受信するステップ
をさらに含み、
前記マルチリンク協調が、以下の協調のうちの少なくとも1つ、すなわち、電力協調、ランダムアクセス協調、および電力ヘッドルーム協調のうちの少なくとも1つを含む、請求項10から14のいずれか一項に記載の方法。
【国際調査報告】
2019524022.tif 000013
2019524022.tif 000014
2019524022.tif 000015
2019524022.tif 000016